(57)【要約】ＭＭＴフォーマットデータに規定されたコピー制御情報をＤＴＣＰ規定のコピー制御情報に変換してネットワーク接続機器に送信することで、データ出力先において、元のコピー制御情報に従ったコピー制御を可能とする。ＭＭＴフォーマットデータに規定されたコピー制御情報をＤＴＣＰ規定のコピー制御情報に変換してネットワーク接続機器に送信する。送信データが４Ｋ画像、または８Ｋ画像、またはＨＤＲ画像のいずれかである場合、ＤＴＣＰ２規定のコピー制御情報、送信データが２Ｋ画像、またはＳＤＲ画像のいずれかである場合、ＤＴＣＰ１規定のコピー制御情報を生成し、ネットワーク接続機器に送信する制御情報格納パケットやプログラムマップテーブル（ＰＭＴ）に記録して送信する。
2019188256.tif 000002
【特許請求の範囲】
【請求項１】
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部は、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理装置。
【請求項２】
前記データ処理部は、
ＤＴＣＰ２、またはＤＴＣＰ１規定のコピー制御情報を含む送信データを生成する請求項１に記載の情報処理装置。
【請求項３】
前記データ処理部は、
前記ネットワーク接続機器に送信する送信データが４Ｋ画像、または８Ｋ画像、またはＨＤＲ画像のいずれかである場合、ＤＴＣＰ２規定のコピー制御情報を含む送信データを生成し、
前記ネットワーク接続機器に送信する送信データが２Ｋ画像、かつＳＤＲ画像、またはそれ以下の品質の画像である場合、ＤＴＣＰ１規定のコピー制御情報を含む送信データを生成する請求項１に記載の情報処理装置。
【請求項４】
前記データ処理部は、
前記ＭＭＴフォーマットデータ対応のコピー制御情報を、ＭＭＴフォーマット規定のサービス記述テーブル（ＭＨ−ＳＤＴ）から取得する請求項１に記載の情報処理装置。
【請求項５】
前記データ処理部は、
ＭＭＴフォーマットデータ対応のコピー制御情報を、ＤＴＣＰ規定のコピー制御情報に変換し、前記ネットワーク接続機器に送信する送信パケットを構成する制御情報格納パケットに格納する請求項１に記載の情報処理装置。
【請求項６】
前記データ処理部は、
ＭＭＴフォーマットデータ対応のコピー制御情報を、ＤＴＣＰ規定のコピー制御情報に変換し、前記ネットワーク接続機器に送信する送信パケット内に格納するプログラムマップテーブル（ＰＭＴ）に記録する請求項１に記載の情報処理装置。
【請求項７】
前記データ処理部は、
ＭＭＴフォーマットデータ対応のコピー制御情報を、ＤＴＣＰ規定のコピー制御情報に変換し、前記ネットワーク接続機器に送信する送信パケットのパケットヘッダに記録する請求項１に記載の情報処理装置。
【請求項８】
前記データ処理部は、
（ａ）出力データの暗号化要否情報、
（ｂ）コピー可否情報、またはコピー許容回数情報の少なくともいずれかの情報、
上記各情報を含むＤＴＣＰ規定のコピー制御情報を生成する請求項１に記載の情報処理装置。
【請求項９】
前記データ処理部は、
ＤＴＣＰ規定のコピー制御情報であり、コピー制限情報を規定したＣＣＩ（Ｃｏｐｙ  Ｃｏｎｔｒｏｌ  Ｉｎｆｏｒｍａｔｉｏｎ）、および出力データの暗号化要否情報を規定したＥＰＮ（Ｅｎｃｒｙｐｔｉｏｎ  Ｐｌｕｓ  Ｎｏｎ−ａｓｓｅｒｔｅｄ）の各値の決定処理を行う請求項１に記載の情報処理装置。
【請求項１０】
前記データ処理部は、
ＤＴＣＰ規定のコピー制御情報であり、コピー制限情報を規定したＣＣＩ（Ｃｏｐｙ  Ｃｏｎｔｒｏｌ  Ｉｎｆｏｒｍａｔｉｏｎ）、および出力データの暗号化要否情報を規定したＥＰＮ（Ｅｎｃｒｙｐｔｉｏｎ  Ｐｌｕｓ  Ｎｏｎ−ａｓｓｅｒｔｅｄ）の各値の決定処理を、予め規定した変換規則に従って実行する請求項１に記載の情報処理装置。
【請求項１１】
前記変換規則は、
ＭＭＴフォーマット規定のサービス記述テーブル（ＭＨ−ＳＤＴ）に記録されるコピー制御情報と、ＤＴＣＰ規定のコピー制御情報とを対応付けたマッピングルールである請求項１０に記載の情報処理装置。
【請求項１２】
前記データ処理部は、
ＤＴＣＰ規定のコピー制御情報であり、コピー許容数を規定したＣＣ（Ｃｏｐｙ  Ｃｏｕｎｔ）の値の決定処理を行う請求項１に記載の情報処理装置。
【請求項１３】
情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部が、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理方法。
【請求項１４】
情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記プログラムは、前記データ処理部に、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成させるプログラム。
【発明の詳細な説明】
【技術分野】
【０００１】
本開示は、情報処理装置、および情報処理方法、並びにプログラムに関する。さらに詳細には、今後の放送波等のデータ伝送規格として規格化が予定されているＭＭＴ（ＭＰＥＧ  Ｍｅｄｉａ  Ｔｒａｎｓｐｏｒｔ）データを受信する受信装置が、受信データを他機器に送信した場合、データ送信先の機器においてＭＭＴ対応のコピー制御情報を継承したコピー制御の実行を可能とする情報処理装置、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。
なお、ＭＭＴフォーマットに従ったデータ受信、データ処理について開示した従来技術として、例えば特許文献１（国際公開ＷＯ２０１８／０１６２９４号公報）がある。【０００５】
放送コンテンツの多くは、著作権により保護されたコンテンツであり、番組等のコンテンツ単位で様々なコピー制御情報が設定されている。
例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信されるパケット（ＴＬＶパケット／ＭＭＴＰパケット）に格納されてユーザ側の受信装置に送信される。【０００６】
受信装置においては、ＭＭＴフォーマットに従ったパケット（ＴＬＶパケット／ＭＭＴＰパケット）に格納されたコピー制御情報に従ったコピー処理が行われることになる。【０００７】
しかし、受信装置が受信したデータを、例えば家の中の他のネットワーク接続機器、例えば、ＰＣや、記録再生装置（レコーダ）等、放送波の受信処理を行った受信装置以外の機器に出力する場合、受信装置はＭＭＴフォーマットを他のフォーマット、例えば、ＭＰＥＧ−２ＴＳフォーマットやＭＰ４等、別フォーマットに変換して転送する。これは、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとして、ＭＰＥＧ−２ＴＳフォーマットやＭＰ４が多く利用されているからであり、データ出力先となるネットワーク接続機器の多くはＭＭＴフォーマットデータを処理できない等の理由である。【０００８】
このように、受信装置が受信したデータを、ネットワーク接続機器に出力する際にフォーマット変換を行うと、ＭＭＴフォーマットデータに設定されていたコピー制御情報が継承されず、データ出力先であるネットワーク接続機器において無秩序なコピーが実行されてしまう可能性がある。
【先行技術文献】
【特許文献】
【０００９】
【特許文献１】国際公開ＷＯ２０１８／０１６２９４号公報
【発明の概要】
【発明が解決しようとする課題】
【００１０】
本開示は、例えば、上記の問題点に鑑みてなされたものであり、ＭＭＴフォーマットに従ったデータを受信する受信機からネットワーク接続機器に出力する場合に、ネットワーク接続機器においてＭＭＴ対応のコピー制御情報を継承したコピー制御を行うことを可能とした情報処理装置、および情報処理方法、並びにプログラムを提供することを目的とする。
【課題を解決するための手段】
【００１１】
本開示の第１の側面は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部は、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理装置にある。【００１２】
さらに、本開示の第２の側面は、
情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部が、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理方法にある。【００１３】
さらに、本開示の第３の側面は、
情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記プログラムは、前記データ処理部に、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成させるプログラムにある。【００１４】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１５】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１６】
本開示の一実施例の構成によれば、ＭＭＴフォーマットデータに規定されたコピー制御情報をＤＴＣＰ規定のコピー制御情報に変換してネットワーク接続機器に送信することで、データ出力先において、元のコピー制御情報に従ったコピー制御を可能とする構成が実現される。
具体的には、例えば、ＭＭＴフォーマットデータに規定されたコピー制御情報をＤＴＣＰ規定のコピー制御情報に変換してネットワーク接続機器に送信する。送信データが４Ｋ画像、または８Ｋ画像、またはＨＤＲ画像のいずれかである場合、ＤＴＣＰ２規定のコピー制御情報、送信データが２Ｋ以下の画像で、更にＳＤＲ（Ｓｔａｎｄａｒｄ  Ｄｙｎａｍｉｃ  Ｒａｎｇｅ）画像である場合、ＤＴＣＰ１規定のコピー制御情報を生成し、ネットワーク接続機器に送信する制御情報格納パケットやプログラムマップテーブル（ＰＭＴ）に記録して送信する。
本構成により、ＭＭＴフォーマットデータに規定されたコピー制御情報をＤＴＣＰ規定のコピー制御情報に変換してネットワーク接続機器に送信することで、データ出力先において、元のコピー制御情報に従ったコピー制御を可能とする構成が実現される。
なお、本明細書に記載された効果はあくまで例示であって限定されるものではなく、また付加的な効果があってもよい。
【図面の簡単な説明】
【００１７】
【図１】放送コンテンツのネットワークを介した送信処理における問題点について説明する図である。
【図２】本開示の構成と処理の概要について説明する図である。
【図３】本開示の構成と処理の概要について説明する図である。
【図４】ＭＭＴフォーマットについて説明する図である。
【図５】放送局等の送信装置が送信するＭＭＴフォーマットに従ったＴＬＶパケットについて説明する図である。
【図６】サービス記述テーブル（ＭＨ−ＳＤＴ）を格納したＭＭＴＰパケットについて説明する図である。
【図７】サービス記述テーブル（ＭＨ−ＳＤＴ）の具体的データ構成について説明する図である。
【図８】コンテンツコピー制御記述子のデータ構成（Ｓｙｎｔａｘ）について説明する図である。
【図９】コンテンツ利用制御記述子のデータ構成（Ｓｙｎｔａｘ）について説明する図である。
【図１０】デジタルコピー制御態様の種類（５種類）と、ＭＭＴフォーマットにおいて規定される３種類の制御情報の設定を一覧としてまとめた図である。
【図１１】ＭＭＴフォーマット対応のコピー制御情報を、ＤＴＣＰ２のコピー制御情報に変換する処理について説明する図である。
【図１２】制御情報格納パケット（ＣＭＩ）１０１に格納されるＣＭＩ記述子（ＣＭＩ  Ｄｅｓｃｒｉｐｔｏｒ）のデータ構成（シンタクス：Ｓｙｎｔａｘ）について説明する図である。
【図１３】コンテンツ制御情報記録領域に記録される主要なコピー制御情報について説明する図である。
【図１４】ＭＭＴフォーマット対応のコピー制御情報を、ＤＴＣＰ２規定のコピー制御情報に変換するッピング処理について説明する図である。
【図１５】コンテンツ制御情報のデータ記録例について説明する図である。
【図１６】ＭＭＴフォーマット対応のコピー制御情報を、ＤＴＣＰ１のコピー制御情報に変換する処理について説明する図である。
【図１７】コンテンツ制御情報の記録領域について説明する図である。
【図１８】プログラムマップテーブル（ＰＭＴ）について説明する図である。
【図１９】ＤＴＣＰ記述子（ＤＴＣＰ＿ｄｅｓｃｒｉｐｔｏｒ）のデータ構成（シンタクス：Ｓｙｎｔａｘ）について説明する図である。
【図２０】コピー制御情報の記録例について説明する図である。
【図２１】ＭＭＴフォーマット対応のコピー制御情報を、ＤＴＣＰ１規定のコピー制御情報に変換するマッピング処理について説明する図である。
【図２２】プログラムマップテーブル（ＰＭＴ）に記録されるコンテンツ制御情報の記録例について説明する図である。
【図２３】ＰＣＰヘッダに記録されるコンテンツ制御情報の記録例について説明する図である。
【図２４】データ送信の具体例に対応したコピー制御情報の変換処理例についてを説明する図である。
【図２５】データ送信の具体例に対応したコピー制御情報の変換処理例についてを説明する図である。
【図２６】データ送信の具体例に対応したコピー制御情報の変換処理例についてを説明する図である。
【図２７】データ送信の具体例に対応したコピー制御情報の変換処理例についてを説明する図である。
【図２８】データ送信の具体例に対応したコピー制御情報の変換処理例についてを説明する図である。
【図２９】データ送信の具体例に対応したコピー制御情報の変換処理例についてを説明する図である。
【図３０】第１情報処理装置（ＤＴＣＰソース）の装置構成例を示す図である。
【図３１】情報処理装置の実行する処理の処理シーケンスを説明するフローチャートを示す図である。
【図３２】本開示の処理に適用される報処理装置のハードウェア構成例について説明する図である。
【発明を実施するための形態】
【００１８】
以下、図面を参照しながら本開示の情報処理装置、および情報処理方法、並びにプログラムの詳細について説明する。なお、説明は以下の項目に従って行なう。
１．ＭＭＴフォーマットデータの受信とネットワーク接続機器への出力態様と問題点について
２．本開示の処理の概要について
３．ＭＭＴ（ＭＰＥＧ  Ｍｅｄｉａ  Ｔｒａｎｓｐｏｒｔ）フォーマットについて
４．ＭＭＴフォーマットデータに設定されるコピー制御情報について
５．ＭＭＴフォーマット対応のコピー制御情報を、ＤＴＣＰ２のコピー制御情報に変換する処理について
６．ＭＭＴフォーマット対応のコピー制御情報を、ＤＴＣＰ１のコピー制御情報に変換する処理について
７．データ送信の具体例に対応したコピー制御情報の変換処理と送信例について
８．情報記録媒体に対するデータ記録処理を実行する情報処理装置の構成と処理について
９．情報処理装置の構成例について
１０．本開示の構成のまとめ
【００１９】
［１．ＭＭＴフォーマットデータの受信とネットワーク接続機器への出力態様と問題点について］
まず、図１を参照して、ＭＭＴ（ＭＰＥＧ  Ｍｅｄｉａ  Ｔｒａｎｓｐｏｒｔ）フォーマットデータの受信とネットワーク接続機器への出力態様と問題点について説明する。
【００２０】
図１に示す放送サーバ１１は例えば放送局である。放送サーバ１１は、ＭＭＴフォーマットに従ったデータを送信する。
前述したようにＭＭＴフォーマットは、４Ｋ画像や８Ｋ画像等の放送等、高画質画像のデータ伝送を実現するために提案されたデータ伝送規格である。
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定している。
【００２１】
放送コンテンツの多くは、著作権により保護されたコンテンツであり、番組等のコンテンツ単位で様々なコピー制御情報が設定されている。例えば、コピー許容コンテンツ、コピー禁止コンテンツ、コピーの許容回数や個数を設定したコンテンツ等、コンテンツ（番組）単位で様々なコピー制御情報が設定されている。
放送コンテンツに関するこれらのコピー制御情報は、番組コンテンツとともに放送波を介して送信されるパケット（ＴＬＶパケット／ＭＭＴＰパケット）に格納されてユーザ側の受信装置に送信される。
【００２２】
図１には、ＭＭＴフォーマットデータを受信する装置（受信装置）として、放送受信機（ＳＴＢ：Ｓｅｔ  Ｔｏｐ  Ｂｏｘ）１２、ＴＶ１４、記録再生装置１７を示している。
これらの受信装置は、ＭＭＴフォーマットを理解し、ＭＭＴフォーマットに従って格納された画像、音声等からなるコンテンツを取得してＴＶやメディアに出力することができる。
これらの受信装置においては、ＭＭＴフォーマットに従ったパケット（ＴＬＶパケット／ＭＭＴＰパケット）に格納されたコピー制御情報に従ったコピー処理が行われることになる。
【００２３】
しかし、受信装置が受信したデータを、家の中の機器等、他のネットワーク接続機器、例えば、ＰＣや、記録再生装置（レコーダ）等、放送波の受信処理を行った受信装置以外の機器に出力する場合、受信装置はＭＭＴフォーマットを他のフォーマット、例えば、ＭＰＥＧ−２ＴＳフォーマットやＭＰ４等の別フォーマットに変換して転送する。これは、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとして、ＭＰＥＧ−２ＴＳフォーマットやＭＰ４等が多く利用されているからであり、データ出力先となるネットワーク接続機器の多くはＭＭＴフォーマットデータを処理できないからである。
【００２４】
このように、受信装置が受信したデータを、ネットワーク接続機器に出力する際にフォーマット変換を行うと、ＭＭＴフォーマットデータに設定されていたコピー制御情報が継承されず、データ出力先であるネットワーク接続機器において無秩序なコピーが実行されてしまう可能性がある。
このような状態が発生しないように、現行では、受信装置が受信したデータの、ネットワーク接続機器に対する出力を禁止、あるいは制限する処理が行われている。具体的には、例えば、図１に示す（１）〜（３）の処理が禁止、あるいは制限されている。
【００２５】
図１（１）〜（３）の処理について説明する。
図１（１）は、放送受信機（ＳＴＢ）１２の受信データをネットワーク経由で記録再生装置（レコーダ）１３に出力して、記録再生装置（レコーダ）１３に放送コンテンツをコピーあるいはムーブ（移動）して記録する例であるが、現状ではこの処理が禁止されている。
【００２６】
図１（２）は、ＴＶ１４の内蔵または接続されたメディア（ＨＤＤ等）に放送コンテンツを記録した場合の例である。記録コンテンツはデバイスバインド（記録実行ＴＶのみ再生許容）の設定があり、記録を実行したＴＶでのみ再生できる。
しかし、ＨＤＤには記録容量の制限があり、新しいコンテンツを記録するため、古い記録コンテンツを、ネットワークを介して他の機器、例えば記録再生装置１５に出力したいという要望が発生する可能性が高い。しかし、現行の規定ではＢＤ等に記録しようとしてもできない。
【００２７】
図１（３）は、放送波を受信した記録再生装置１６がメディア（ＢＤ）に記録し、この記録データをネットワーク経由で携帯端末１７が受信してストリーミング再生する例であるが、現行ではこのようなコンテンツの出力も禁止されている。
【００２８】
これらの処理の禁止や制限処理は、ＭＭＴフォーマットデータを受信した受信装置が、ネットワーク接続機器にデータ出力を行う際に、ＭＭＴフォーマットデータを他のフォーマットに変換し、その際にＭＭＴフォーマットデータに対応付けられていたコピー制御情報が失われ、データ出力先において、無秩序なコピー等が行われる可能性があるという懸念に起因するものである。
【００２９】
［２．本開示の処理の概要について］
次に、図２以下を参照して本開示の処理の概要について説明する。
【００３０】
本開示の処理では、放送コンテンツを受信する受信装置が、受信した放送コンテンツをネットワーク接続機器に出力する際に、放送コンテンツに対応付けられたＭＭＴフォーマット対応のコピー制御情報をＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報に変換して出力する。
ネットワーク接続機器は、このＤＴＣＰ規定のコピー制御情報に従ったコピー制御処理を実行する。
このような処理を行うことで、放送コンテンツに対応付けられたＭＭＴフォーマット対応のコピー制御情報を、データ出力先の機器においても継承させることが可能となる。
【００３１】
ＤＴＣＰは、ネットワーク内でのコンテンツの不正コピーを防止するための通信プロトコル等の仕様を定めた技術である。ＤＴＣＰは、データ伝送フォーマット、あるいは、記録フォーマットとして利用されるＭＰＥＧ−２ＴＳフォーマットやＭＰ４等においても利用されているコンテンツ保護技術である。
【００３２】
図２を参照して本開示の処理の概要について説明する。
図２には、放送局等の放送サーバ１１、受信装置２０、ネットワーク接続装置３０を示している。
放送局等の放送サーバ１１は、ＭＭＴフォーマットに従ったデータを送信する。
このＭＭＴフォーマットデータには、ＡＲＩＢ（社団法人電波産業会：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）が規定したコンテンツ保護規定（ＴＲ−Ｂ３９）に従ったコピー制御情報が記録されている。
【００３３】
受信装置２０は、放送サーバ１１から受信するＭＭＴフォーマットデータのコピー処理やムーブ処理（移動処理）、あるいはメディアに対する記録処理を行う場合、このＡＲＩＢ規定のコンテンツ保護規定（ＴＲ−Ｂ３９）に従った処理を行う。
なお、図２には、受信装置２０の例として、放送受信機（ＳＴＢ：Ｓｅｔ  Ｔｏｐ  Ｂｏｘ）２１、ＴＶ２２、記録再生装置２３、ＰＣ２４、携帯端末２５を示している。これらは一例であり、この他にも様々な種類の受信装置２０が利用可能である。
これらの装置は、全てＭＭＴフォーマットデータを理解してＭＭＴフォーマットデータに対するデータ処理を行うことが可能な装置である。
【００３４】
これらの受信装置２０は、例えばホームネットワーク等の通信ネットワークを介してネットワーク接続装置３０に放送コンテンツを送信する。
この放送コンテンツの送信処理に際して、受信装置２０は、ＭＭＴフォーマット対応のＡＲＩＢ規定のコピー制御情報を、ＤＴＣＰ規定のコピー制御情報に変換して送信コンテンツに併せて送信する。
【００３５】
なお、ＤＴＣＰに従ったコンテンツ保護技術によって保護されたコンテンツの送信機器をＤＴＣＰソース（ＤＴＣＰ  Ｓｏｕｒｃｅ）と呼び、ＤＴＣＰに従ったコンテンツ保護技術によって保護されたコンテンツの受信機器を、ＤＴＣＰシンク（ＤＴＣＰ  Ｓｉｎｋ）と呼ぶ。
【００３６】
図２には、ネットワーク接続装置（ＤＴＣＰシンク）３０として、ＴＶ３１、記録再生装置３２、ＰＣ３３、携帯端末３４を示している。この他にも様々なネットワーク接続機器がＤＴＣＰシンクとして利用可能である。
【００３７】
ネットワーク接続装置（ＤＴＣＰシンク）３０は、受信装置（ＤＴＣＰソース）から受信するコンテンツ（ＤＴＣＰコンテンツ）を利用する際、ＤＴＣＰ規定に従って記録されたコピー制御情報に従った処理を実行する。
このコピー制御情報は、受信装置（ＤＴＣＰソース）２０が、ＭＭＴフォーマット対応のＡＲＩＢ規定のコピー制御情報に基づいてＤＴＣＰ規定のコピー制御情報に変換したデータである。従って、ネットワーク接続装置（ＤＴＣＰシンク）３０は、ＭＭＴフォーマット対応のＡＲＩＢ規定のコピー制御情報を継承したコピー制御を行うことが可能となる。
【００３８】
なお、ＤＴＣＰには、現時点で異なる２種類の規定、ＤＴＣＰ１、ＤＴＣＰ２が存在する。
ＤＴＣＰ２は、４Ｋコンテンツ、８Ｋコンテンツ、ＨＤＲ（Ｈｉｇｈ  Ｄｙｎａｍｉｃ  Ｒａｎｇｅ）コンテンツ等、高画質コンテンツ対応のコンテンツ保護技術規定である。
一方、ＤＴＣＰ１は、２Ｋコンテンツ、ＳＤＲ（Ｓｔａｎｄａｒｄ  Ｄｙｎａｍｉｃ  Ｒａｎｇｅ）コンテンツ等に対応したコンテンツ保護技術規定である。
【００３９】
受信装置（ＤＴＣＰソース）２０は、ネットワーク接続装置（ＤＴＣＰシンク）３０に対する送信コンテンツが、４Ｋコンテンツ、８Ｋコンテンツ、ＨＤＲコンテンツ等の高画質コンテンツである場合は、ＤＴＣＰ２規定のコピー制御情報をコンテンツに対応付けて送信する。
一方、ネットワーク接続装置（ＤＴＣＰシンク）３０に対する送信コンテンツが、２ＫコンテンツでＳＤＲ（Ｓｔａｎｄａｒｄ  Ｄｙｎａｍｉｃ  Ｒａｎｇｅ）コンテンツである場合は、ＤＴＣＰ１規定のコピー制御情報をコンテンツに対応付けて送信する。
【００４０】
図３に本開示の処理をまとめた図を示す。
図３には、送信装置５０、第１情報処理装置（ＤＴＣＰソース）６０、第２情報処理装置（ＤＴＣＰシンク）７０、これらを示している。
【００４１】
送信装置５０には、放送局等の放送サーバ５１や、データ配信サーバ５２が含まれる。これらの送信装置５０は、放送コンテンツ等をＭＭＴフォーマットデータとして送信する。なお、送信コンテンツは必ずしもリアルタイムの放送コンテンツに限らず、再配信コンテンツや、放送以外のコンテンツ、ケーブルテレビの配信コンテンツ等も含まれる。ただし、すべてＭＭＴフォーマット対応のコピー制御情報が記録されたコンテンツである。
【００４２】
第１情報処理装置（ＤＴＣＰソース）６０には、放送受信機（ＳＴＢ）６１、ＴＶ６２、記録再生装置６３、ＰＣ６４、携帯端末６５が含まれる。これらは一例であり、この他にも様々な種類の装置が利用可能である。第１情報処理装置（ＤＴＣＰソース）６０は、受信コンテンツの再生処理や、ＨＤＤ、ＢＤ、フラッシュメモリ等のメディアに対するデータ記録処理などを実行する。
第１情報処理装置（ＤＴＣＰソース）６０は、全てＭＭＴフォーマットデータを理解してＭＭＴフォーマットデータに対するデータ処理を行うことが可能な装置である。
第１情報処理装置（ＤＴＣＰソース）６０は、ＭＭＴフォーマット対応のコピー制御情報に従った処理を実行する。
【００４３】
さらに、第１情報処理装置（ＤＴＣＰソース）６０は、送信装置５０からの受信コンテンツを、第２情報処理装置（ＤＴＣＰシンク）７０に送信する際、ＭＭＴフォーマット対応のコピー制御情報を、ＤＴＣＰ規定のコピー制御情報に変換して送信する。
送信コンテンツが４Ｋコンテンツ、８Ｋコンテンツ、ＨＤＲコンテンツ等の高画質コンテンツである場合は、ＤＴＣＰ２規定のコピー制御情報、送信コンテンツが、２Ｋコンテンツ、ＳＤＲコンテンツである場合は、ＤＴＣＰ１規定のコピー制御情報を変換データとして生成してコンテンツに対応付けて送信する。
【００４４】
第２情報処理装置（ＤＴＣＰシンク）７０には、ＴＶ７１、記録再生装置７２、ＰＣ７３、携帯端末７４が含まれる。これらは一例であり、この他にも様々な種類の装置が利用可能である。第２情報処理装置（ＤＴＣＰシンク）７０は、第１情報処理装置（ＤＴＣＰソース）から受信したコンテンツの再生処理や、ＨＤＤ、ＢＤ、フラッシュメモリ等のメディアに対するデータ記録処理などを実行する。
さらに、図示しない第３の情報処理装置に対するコンテンツ出力処理などを実行する。
【００４５】
第２情報処理装置（ＤＴＣＰシンク）７０は、第１情報処理装置（ＤＴＣＰソース）６０からの受信コンテンツ（ＤＴＣＰコンテンツ）を利用する際、ＤＴＣＰ規定に従って記録されたコピー制御情報に従った処理を実行する。
このコピー制御情報は、第１情報処理装置（ＤＴＣＰソース）６０が、ＭＭＴフォーマット対応のＡＲＩＢ規定のコピー制御情報に基づいてＤＴＣＰ規定のコピー制御情報に変換したデータである。従って、第２情報処理装置（ＤＴＣＰシンク）７０は、ＭＭＴフォーマット対応のＡＲＩＢ規定のコピー制御情報を継承したコピー制御を行うことが可能となる。
【００４６】
［３．ＭＭＴ（ＭＰＥＧ  Ｍｅｄｉａ  Ｔｒａｎｓｐｏｒｔ）フォーマットについて］
図３を参照して説明したように、放送局等、送信装置５０からのデータ送信は、ＭＭＴ（ＭＰＥＧ  Ｍｅｄｉａ  Ｔｒａｎｓｐｏｒｔ）フォーマットに従って実行される。
図４以下を参照して、ＭＭＴ（ＭＰＥＧ  Ｍｅｄｉａ  Ｔｒａｎｓｐｏｒｔ）フォーマットについて説明する。
【００４７】
図４は、ＭＭＴフォーマットのスタック・モデルを示す図である。
図４に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００４８】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００４９】
制御情報（ＳＩ：Ｓｉｇｎａｌｉｎｇ  Ｉｎｆｏｒｍａｔｉｏｎ）
は、受信装置側においてコンテンツ（番組）を受信、再生するために必要となる設定情報や、番組ガイド等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴＰパケットに格納される制御情報（ＳＩ）は最上位レイヤに示すＭＭＴ−ＳＩであり、主に再生制御に関する制御情報によって構成されている。
【００５０】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００５１】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データ、
音声符号化規格であるＡＡＣ（Ａｄｖａｎｃｅｄ  Ａｕｄｉｏ  Ｃｏｄｉｎｇ）に従った符号化音声データである音声（Ａｕｄｉｏ）データ、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信される制御情報（ＭＭＴ−ＳＩ）、
さらに、ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００５２】
制御情報（ＭＭＴ−ＳＩ）は、ＭＭＴＰパケットで送信される制御情報（シグナリング情報）であり、情報処理装置３０側においてコンテンツ（番組）を再生するために必要となる設定情報や、番組ガイド等の案内情報や通知情報、制御情報等の様々な管理情報によって構成される。
【００５３】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００５４】
図４に示すように、画像、音声、字幕、さらに、様々な通知情報や制御情報等の様々な管理情報からなる制御情報（ＭＭＴ−ＳＩ）やアプリケーションは、ＭＭＴＰパケットによって送信される。
【００５５】
［４．ＭＭＴフォーマットデータに設定されるコピー制御情報について］
次に、放送局等の送信装置が配信するＭＭＴフォーマットデータに設定されるコピー制御情報について説明する。
【００５６】
図５以下を参照して、放送局等から送信されるＭＭＴフォーマットに従った番組コンテンツやコピー制御情報について説明する。
図５には、放送局等の送信装置が送信するＭＭＴフォーマットに従ったＴＬＶパケット列と、ＴＬＶパケットの構成、および、ＴＬＶパケットの各々に含まれるＭＭＴＰパケットを抽出して並べたＭＭＴＰパケット列を示している。
【００５７】
ＭＭＴＰパケット列に含まれる各ＭＭＴＰパケットは、画像、音声、字幕と上の再生対象データや、制御情報（ＳＩ：Ｓｉｇｎａｌｉｎｇ  Ｉｎｆｏｒｍａｔｉｏｎ）等を、データ種類単位で格納したパケットとして構成される。
ＭＭＴＰパケットの各々にどのような種類のデータが格納されているかについては、ＭＭＴＰパケットのヘッダに記録されたパケットＩＤ（ＰＩＤ）によって識別可能となる。
【００５８】
例えばコピー制御情報は、ＭＭＴフォーマットにおいて規定される制御情報記録テーブルであるサービス記述テーブル（ＭＨ−ＳＤＴ）に記録されている。
なお、ＭＭＴフォーマットには、記録された制御データの種類に応じた様々な制御情報記録テーブルがある。具体的には、例えば、以下のようなテーブルがある。
（ａ）ＴＬＶ−ＮＩＴ（ネットワーク情報テーブル）
（ｂ）ＭＨ−ＢＩＴ（ブロードキャスタ情報テーブル）
（ｃ）ＭＨ−ＳＤＴ（サービス記述テーブル）
（ｄ）ＭＨ−ＥＩＴ（イベント情報テーブル）
（ｅ）ＭＨ−ＴＯＴ（タイムオフセットテーブル）
（ｆ）ＭＰＴ（ＭＭＴパッケージテーブル）
【００５９】
サービス記述テーブル（ＭＨ−ＳＤＴ）は、制御情報記録テーブルの一つであり、例えば、チャンネル名や、放送事業者名等のチャンネル関連情報を記録したテーブルである。
コピー制御情報は、このサービス記述テーブル（ＭＨ−ＳＤＴ）に記録されている。
図５に示すように、サービス記述テーブル（ＭＨ−ＳＤＴ）を格納したＭＭＴＰパケットにはパケットＩＤ（ＰＩＤ）として、
ＰＩＤ＝０ｘ８００４
が記録されている。
【００６０】
ユーザ側の装置は、このＰＩＤ＝０ｘ８００４の設定パケットからサービス記述テーブル（ＭＨ−ＳＤＴ）を取り出して、その記述データからコピー制御情報を取得する。
なお、図６に示すように、サービス記述テーブル（ＭＨ−ＳＤＴ）を格納したＭＭＴＰパケットは、数秒間隔で送信され、１つのＭＨ−ＳＤＴ格納パケットに格納されたコピー制御情報は、後続する再生対象データ格納パケットに格納されたコンテンツに適用される。
【００６１】
例えば、図６に示すサービス記述テーブル（ＭＨ−ＳＤＴ）を格納した制御情報格納パケット８１は、次の制御情報格納パケット８２までの期間内の後続ＭＭＴＰに格納された画像、音声、字幕等のコンテンツに関するコピー制御情報として利用される。
制御情報格納パケット８２は、次の制御情報格納パケット８３までの期間内の後続ＭＭＴＰに格納されたコンテンツに関するコピー制御情報として利用される。
このように、ＭＭＴＰに格納されたコンテンツに関するコピー制御情報は、制御情報格納パケットに格納されたサービス記述テーブル（ＭＨ−ＳＤＴ）を参照して確認することができる。
【００６２】
次に、図７以下を参照して、サービス記述テーブル（ＭＨ−ＳＤＴ）の具体的データ構成について説明する。
図７は、ＭＭＴＰパケットに格納されるサービス記述テーブル（ＭＨ−ＳＤＴ）のデータ構成（シンタクス）を示す図である。
なお、データ構成（Ｓｙｎｔａｘ）に併せて、ビット数（Ｎｏ．  ｏｆ  ｂｉｔｓ）、データ表記（Ｍｎｅｍｏｎｉｃ）を示している。
なお、データ表記中の「ｕｉｍｓｂｆ」は「符号無し整数、最上位ビットが先頭」（ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ）表記を意味する。
「ｂｓｌｂｆ」は、「ビット列、左ビットが先頭（ｂｉｔ  ｓｔｒｉｎｇ，ｌｅｆｔ  ｂｉｔ  ｆｉｒｓｔ）を意味する。
【００６３】
なお、ＭＭＴフォーマットデータに関する制御情報は、その制御情報の種類（カテゴリ）に応じて複数のテーブルに記録される。
前述したように、例えば、以下のテーブルがある。
（ａ）ＴＬＶ−ＮＩＴ（ネットワーク情報テーブル）
（ｂ）ＭＨ−ＢＩＴ（ブロードキャスタ情報テーブル）
（ｃ）ＭＨ−ＳＤＴ（サービス記述テーブル）
（ｄ）ＭＨ−ＥＩＴ（イベント情報テーブル）
（ｅ）ＭＨ−ＴＯＴ（タイムオフセットテーブル）
（ｆ）ＭＰＴ（ＭＭＴパッケージテーブル）
【００６４】
さらに、これらのテーブルには、特定のカテゴリに含まれる下位の細分類された制御情報の各々が、記述子（ｄｅｓｃｒｉｐｔｏｒ）単位で記録される。
図７に示すサービス記述テーブル（ＭＨ−ＳＤＴ）の記述子（ｄｅｓｃｒｉｐｔｏｒ）記録領域には、
（１）コンテンツコピー制御記述子、
（２）コンテンツ利用制御記述子、
これらの記述子が記録される。
なお、これらのデータは、例えば番組単位等、所定のコンテンツ区分ごとに記録可能である。
上記２つの記述子の具体的なデータ構成について、図８、図９を参照して説明する。
【００６５】
まず、図８を参照して「（１）コンテンツコピー制御記述子」のデータ構成（Ｓｙｎｔａｘ）について説明する。
図８に示すコンテンツコピー制御記述子には、図に示すように、例えば以下の各データが記録される。
記述子タグ（ｄｅｓｃｒｉｐｔｏｒ＿ｔａｇ）
デジタル記録制御情報（ｄｉｇｉｔａｌ＿ｒｅｃｏｒｄｉｎｇ＿ｃｏｎｔｒｏｌ＿ｄａｔａ）
コンポーネント制御フラグ（ｃｏｍｐｏｎｅｎｔ＿ｃｏｎｔｒｏｌ＿ｆｌａｇ）
【００６６】
記述子タグ（ｄｅｓｃｒｉｐｔｏｒ＿ｔａｇ）には、
この記述子（ｄｅｓｃｒｉｐｔｏｒ）がコンテンツコピー制御記述子であることを示す識別タグ（０ｘ８０３８）が記録される。
デジタル記録制御情報（ｄｉｇｉｔａｌ＿ｒｅｃｏｒｄｉｎｇ＿ｃｏｎｔｒｏｌ＿ｄａｔａ）には、
デジタル記録としてのコピー処理を実行してよいか否かを示す値が記録される。
具体例については、図１０を参照して後段で説明する。
【００６７】
コンポーネント制御フラグ（ｃｏｍｐｏｎｅｎｔ＿ｃｏｎｔｒｏｌ＿ｆｌａｇ）には、この記述子（コンテンツコピー制御記述子）が有効であるか否かを示す値が記録される。例えば以下の１ビットが記録される。
有効＝０
無効＝１
【００６８】
次に、図７に示すサービス記述テーブル（ＭＨ−ＳＤＴ）の記述子（ｄｅｓｃｒｉｐｔｏｒ）として記録されるもう一つの記述子である「コンテンツ利用制御記述子」のデータ構成（Ｓｙｎｔａｘ）について、図９を参照して説明する。
図９に示すように、「コンテンツ利用制御記述子」には、例えば以下の各データが記録される。
コピー制限モード情報（ｃｏｐｙ＿ｒｅｓｔｒｉｃｔｉｏｎ＿ｍｏｄｅ）
暗号化モード情報（ｅｎｃｒｙｐｔｉｏｎ＿ｍｏｄｅ）
【００６９】
コピー制限モード情報（ｃｏｐｙ＿ｒｅｓｔｒｉｃｔｉｏｎ＿ｍｏｄｅ）には、
コピー可能な数であるコピー数の制限があるか否かのデータが記録される。
例えば、
コピー数制限あり＝１
コピー数制限なし＝０
これらのデータが記録される。
【００７０】
暗号化モード情報（ｅｎｃｒｙｐｔｉｏｎ＿ｍｏｄｅ）には、
コピー処理を行う場合の出力データを、暗号化データとして出力することが必要か否かのデータが記録される。
例えば、
出力データの暗号化要＝０
出力データの暗号化不要＝１
これらのデータが記録される。
【００７１】
図７に示すサービス記述テーブル（ＭＨ−ＳＤＴ）には、図８、図９を参照して説明したように、以下の３種類のコピー制御関連情報が記録される。
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化モード情報（ｅｎｃｒｙｐｔｉｏｎ＿ｍｏｄｅ）
（Ｃ）コピー制限モード情報（ｃｏｐｙ＿ｒｅｓｔｒｉｃｔｉｏｎ＿ｍｏｄｅ）
【００７２】
図１０に、デジタルコピー制御態様の種類（５種類）と、上記のＭＭＴフォーマットにおいて規定される３種類の制御情報の設定を一覧としてまとめた図を示す。
図１０には、デジタルコピー制御態様の種類として、以下の５種類を示している。
（１）制約条件なしでコピー可、ただし、出力データの暗号化必要
（２）制約条件なしでコピー可、かつ、出力データの暗号化不要
（３）コピー禁止
（４）１世代のみコピー可、ただし、コピー数制限あり
（５）１世代のみコピー可
【００７３】
上記の５種類のデジタルコピー制御態様について、上記のＭＭＴフォーマットにおいて規定される３種類の制御情報の設定は、図に示すように、以下の設定となる。
（１）制約条件なしでコピー可、ただし、出力データの暗号化必要
（Ａ）デジタル記録制御情報＝００（制約条件なしにコピー可、デジタル記録可）
（Ｂ）暗号化モード情報＝０（出力データの暗号化必要）
（Ｃ）コピー制限モード情報＝Ｄｏｎ'ｔ  Ｃａｒｅ（規定なし）
【００７４】
（２）制約条件なしでコピー可、かつ、出力データの暗号化不要
（Ａ）デジタル記録制御情報＝００（制約条件なしにコピー可、デジタル記録可）
（Ｂ）暗号化モード情報＝１（出力データの暗号化不要）
（Ｃ）コピー制限モード情報＝Ｄｏｎ'ｔ  Ｃａｒｅ（規定なし）
【００７５】
（３）コピー禁止
（Ａ）デジタル記録制御情報＝１１（コピー禁止、デジタル記録不可）
（Ｂ）暗号化モード情報＝Ｄｏｎ'ｔ  Ｃａｒｅ（規定なし）
（Ｃ）コピー制限モード情報＝Ｄｏｎ'ｔ  Ｃａｒｅ（規定なし）
【００７６】
（４）１世代のみコピー可、ただし、コピー数制限あり
（Ａ）デジタル記録制御情報＝１０（一世代のみコピー可、一世代のみデジタル記録可、またはムーブ（移動）のみ可）
（Ｂ）暗号化モード情報＝Ｄｏｎ'ｔ  Ｃａｒｅ（規定なし）
（Ｃ）コピー制限モード情報＝１（コピー数制限あり）
【００７７】
（５）１世代のみコピー可
（Ａ）デジタル記録制御情報＝１０（一世代のみコピー可、一世代のみデジタル記録可、またはムーブ（移動）のみ可）
（Ｂ）暗号化モード情報＝Ｄｏｎ'ｔ  Ｃａｒｅ（規定なし）
（Ｃ）コピー制限モード情報＝０（ムーブ（移動）のみ可）
【００７８】
図１０に示す５種類のデジタルコピー制御態様（１）〜（５）について、ＭＭＴフォーマットにおいて規定される３種類の制御情報、すなわち、
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化モード情報（ｅｎｃｒｙｐｔｉｏｎ＿ｍｏｄｅ）
（Ｃ）コピー制限モード情報（ｃｏｐｙ＿ｒｅｓｔｒｉｃｔｉｏｎ＿ｍｏｄｅ）
これらの記録データは、図１０に示すように、上述した設定となる。
【００７９】
［５．ＭＭＴフォーマット対応のコピー制御情報を、ＤＴＣＰ２のコピー制御情報に変換する処理について］
次に、ＭＭＴフォーマット対応のコピー制御情報を、ＤＴＣＰ２のコピー制御情報に変換する処理について説明する。
【００８０】
図１１には、先に説明した図３と同様、送信装置５０、第１情報処理装置（ＤＴＣＰソース）６０、第２情報処理装置（ＤＴＣＰシンク）７０、これらを示している。
第１情報処理装置（ＤＴＣＰソース）６０の一例として放送受信機（ＳＴＢ）６１、第２情報処理装置（ＤＴＣＰシンク）７０の一例として、記録再生装置７２を示している。
【００８１】
前述したように、第１情報処理装置（ＤＴＣＰソース）６０は、送信装置５０からの受信コンテンツを、第２情報処理装置（ＤＴＣＰシンク）７０に送信する際、ＭＭＴフォーマット対応のコピー制御情報を、ＤＴＣＰ規定のコピー制御情報に変換して送信する。送信コンテンツが４Ｋコンテンツ、８Ｋコンテンツ、ＨＤＲコンテンツ等の高画質コンテンツである場合は、ＤＴＣＰ２規定のコピー制御情報を設定して送信する。
【００８２】
図１１の下部には、第１情報処理装置（ＤＴＣＰソース）６０から、第２情報処理装置（ＤＴＣＰシンク）７０に対する送信データのデータフォーマットの一例を示している。
【００８３】
図１１に示すように、送信データは、以下の２つの種類のパケットによって構成される。
（ａ）制御情報格納パケット（ＣＭＩ）１０１、
（ｂ）ＡＶストリーム格納パケット（ＰＣＰ）１０２、
【００８４】
制御情報格納パケット（ＣＭＩ：Ｃｏｎｔｅｎｔ  Ｍａｎａｇｅｍｅｎｔ  Ｉｎｆｏｒｍａｔｉｏｎ）１０１には、後続のＡＶストリーム格納パケット（ＰＣＰ：Ｐｒｏｔｅｃｔｅｄ  Ｃｏｎｔｅｎｔ  Ｐａｃｋｅｔ）１０２に関するコピー制御情報等の制御情報が記録される。
なお、ＡＶストリーム格納パケット（ＰＣＰ）１０２は暗号化データである。
制御情報格納パケット（ＣＭＩ）１０１は、例えば、制御情報が変化するタイミング等、ＡＶストリーム格納パケット（ＰＣＰ）１０２列に挿入される形で間欠的に送信される。
【００８５】
制御情報格納パケット（ＣＭＩ）１０１のＣＭＩ記述子（ＣＭＩ  Ｄｅｓｃｒｉｐｔｏｒ）には、後続のＡＶストリーム格納パケット（ＰＣＰ）１０２に関するコンテンツ制御情報が記録される。
制御情報格納パケット（ＣＭＩ）１０１は１つ以上のＣＭＩ記述子を格納でき、様々な表現方法でコンテンツ制御情報を記述できる。
【００８６】
第１情報処理装置（ＤＴＣＰソース）６０からの送信データを受信する第２情報処理装置（ＤＴＣＰシンク）７０は、制御情報格納パケット（ＣＭＩ）１０１の任意のＣＭＩ記述子を参照することが可能である。
第１情報処理装置（ＤＴＣＰソース）６０は、制御情報格納パケット（ＣＭＩ）１０１にＣＭＩ記述子を必ず１つ以上格納する。
【００８７】
制御情報格納パケット（ＣＭＩ）１０１はコンテンツデータを格納するＡＶストリーム格納パケット（ＰＣＰ）１０２の手前で通常、１回送られる。ただし、コンテンツの途中で、コンテンツの制御内容が変化した場合は、その位置で、その新たな制御内容を記録した制御情報格納パケット（ＣＭＩ）１０１が送信される。
【００８８】
制御情報格納パケット（ＣＭＩ）１０１は平文で送られるが、改ざんされた場合には、第２情報処理装置（ＤＴＣＰシンク）７０は、後続のＡＶストリーム格納パケット（ＰＣＰ）１０２に格納された暗号化コンテンツの復号に必要となる暗号鍵を正しく生成できなくなる。制御情報格納パケット（ＣＭＩ）１０１の構成データが暗号鍵生成情報として利用される構成であるからである。
【００８９】
第１情報処理装置（ＤＴＣＰソース）６０からの送信データを受信する第２情報処理装置（ＤＴＣＰシンク）７０は、制御情報格納パケット（ＣＭＩ）１０１のみをコンテンツ制御情報として参照する。コンテンツストリーム中にある情報は参照しないため、ＤＴＣＰ記述子等も定義されない。また、この運用は、ＡＶストリーム格納パケット（ＰＣＰ）１０２に格納されるＡＶストリームのフォーマットにも依存しない。
【００９０】
図１２は、制御情報格納パケット（ＣＭＩ）１０１に格納されるＣＭＩ記述子（ＣＭＩ  Ｄｅｓｃｒｉｐｔｏｒ）のデータ構成（シンタクス：Ｓｙｎｔａｘ）について説明する図である。
【００９１】
図１２に示すように、制御情報格納パケット（ＣＭＩ）１０１に格納されるＣＭＩ記述子（ＣＭＩ  Ｄｅｓｃｒｉｐｔｏｒ）のＣＭＩ記述子データ［０］〜［３］（ＣＭＩ  Ｄｅｓｃｒｉｐｔｏｒ  Ｄａｔａ［０］〜［３］）記録領域、この３バイトデータの記録領域に、コンテンツコピー制御情報を含むコンテンツ制御情報が記録される。
【００９２】
コンテンツ制御情報記録領域に記録される主要なコピー制御情報を図１３に示す。
コンテンツ制御情報記録領域に記録される主要なコピー制御情報には以下の３種類の情報が含まれる。
ＥＰＮ＝出力データ暗号化要否情報
ＣＣＩ＝コピー制限情報
ＣＣ＝コピー許容数
【００９３】
ＥＰＮ（Ｅｎｃｒｙｐｔｉｏｎ  Ｐｌｕｓ  Ｎｏｎ−ａｓｓｅｒｔｅｄ）は、データを出力（デジタル出力）する際に暗号化が必要であるか否かの情報を記録する領域である。なお、ＥＰＮは後述のＣＣＩが００（コピー制限なし）の場合だけ有効な情報である。
ＣＣＩ（Ｃｏｐｙ  Ｃｏｎｔｒｏｌ  Ｉｎｆｏｒｍａｔｉｏｎ）は、コピー処理が許容されるか否かの情報を記録する領域である。
ＣＣ（Ｃｏｐｙ  Ｃｏｕｎｔ）は、許容コピー数に関する情報を記録する領域である。
【００９４】
ＥＰＮと、ＣＣＩ、ＣＣの詳細について、図１３を参照して説明する。
ＥＰＮは、出力データ暗号化要否情報を記録する領域であり、
０，または１の１ビットデータを記録することが可能である。
記録ビット値０，１は、以下の意味を有する。
（１）ビット値：０＝出力データ（デジタルデータ）の暗号化必要（ＥＰＮ−ａｓｓｅｒｔｅｄ）
（２）ビット値：１＝出力データ（デジタルデータ）の暗号化不要（ＥＰＮ−ｕｎａｓｓｅｒｔｅｄ）
【００９５】
ＣＣＩは、コピー制限情報を記録する領域であり、
００〜１１の２ビットデータを記録することが可能である。
記録ビット値００〜１１は、以下の意味を有する。
（１）ビット値：００＝コピー制限なし（Ｃｏｐｙ  Ｃｏｎｔｒｏｌ  Ｎｏｔ  Ａｓｓｅｒｔｅｄ）
（２）ビット値：０１＝許容数（ＣＣ設定値）を超えるコピー不可（Ｎｏ  Ｍｏｒｅ  Ｃｏｐｙ）
（３）ビット値：１０＝１世代のみコピー可（Ｃｏｐｙ  Ｏｎｅ  Ｇｅｎｅｒａｔｉｏｎ）
（４）ビット値：１１＝コピー不可（Ｎｅｖｅｒ  Ｃｏｐｙ）
【００９６】
ＣＣはコピー許容数を記録する領域であり、コピー許容数（ｘｘｘｘ）を記録することができる。ただし、ｘｘｘｘ＝００００〜１１１１（２進数）の範囲で値が設定される。
なお、コピー許容数（ｘｘｘｘ）は、ＣＣＩ＝０１の設定の場合にのみ記録される。ＣＣＩ＝００，１０，１１の場合には、ＣＣ＝００００が記録され、無効値として解釈される。
【００９７】
図１２に示すＣＭＩ記述子データ［０］〜［３］（ＣＭＩ  Ｄｅｓｃｒｉｐｔｏｒ  Ｄａｔａ［０］〜［３］）、この３バイトデータの記録領域に記録されるその他のコンテンツ制御情報の主要データは以下のデータである。
ＲＥＳ：リザーブ（Ｒｅｓｅｒｖｅｄ）フィールドであり、固定値［１］が記録される。（［１２］）は２進数の値１が格納されることを示している。
なお、このリザーブフイールドの設定値は、制御情報格納パケット（ＣＭＩ）１０１に後続するＡＶストリーム格納パケット（ＰＣＰ）１０２に格納される暗号化ＡＶストリームの復号に適用する暗号鍵の生成情報として利用される。
【００９８】
ＲＭ：リテンションモード（Ｒｅｔｅｎｔｉｏｎ＿ｍｏｄｅ）記録フィールドである。リンテションモードとは、コンテンツの保持期間設定モードであり、リンテションモードに設定されている場合（設定値＝［０］）、コンテンツが一時的に記憶部（メディア）に記録可能であることを示す。
【００９９】
Ｒｅｔｅｎｔｉｏｎ＿Ｓｔａｔｅ：リテンション（コンテンツ保持）可能な期間が記録される。例えば以下の３ビットデータ：０００〜１１１が記録される。
０００＝永久保存可能
００１＝１週間
０１０＝２日
０１１＝１日
１００＝１２時間
１０１＝６時間
１１０＝３時間
１１１＝９０分。
【０１００】
ＤＯＴ：デジタル出力限定情報（Ｄｉｇｉｔａｌ  Ｏｎｌｙ  Ｔｏｋｅｎ）が記録される。ＤＯＴ＝０の場合、ビデオ信号はデジタルデータのみ出力可能（＝アナログ出力禁止）
ＡＳＴ：アナログ出力可否情報（Ａｎａｌｏｇ  Ｓｕｎｓｅｔ  Ｔｏｋｅｎ）が記録される。ＡＳＴ＝０の場合、ビデオ信号のアナログ出力禁止。
ＩＣＴ：アナログ出力時の出力許容画質情報（Ｉｍａｇｅ  Ｃｏｎｓｔｒａｉｎｔ  Ｔｏｋｅｎ）が記録される。ＩＣＴ＝０の場合、アナログ出力時の画質はＳＤ画質（ＤＶＤ画質相当）までダウンコンバートをすることが必要。
ＡＰＳ：アナログビデオ信号の保護タイプ情報（Ａｎａｌｏｇ  Ｐｒｏｅｃｔｉｏｎ  Ｓｙｓｔｅｍ）が記録される。
００＝オフ、０１＝タイプ１、１０＝タイプ２、１１＝タイプ３を示す。
【０１０１】
ＳＤＯ：デジタルデータの出力許容情報（Ｓｔａｎｄａｒｄ  Ｄｉｇｉｔａｌ  Ｏｕｔｐｕｔ  Ｔｏｋｅｎ）が記録される。ＳＤＯ＝１は、ＤＴＣＰ１やＤＴＣＰ１の認定出力保護技術が適用されている場合にデジタルデータの出力が許容されることを意味する。これは、ＤＴＣＰ２のＣｏｍｐｌｉａｎｃｅ  Ｒｕｌｅｓで認められた技術である。ただし、ＳＤＯ＝１でも認定記録保護技術には渡せない。
ＳＤＯの値は、データ出力装置のデータ出力態様によって変更される。
【０１０２】
ＨＤＲ：ＨＤＲ画像の処理規定情報（Ｈｉｇｈ  Ｄｙｎａｍｉｃ  Ｒａｎｇｅ  Ｔｏｋｅｎ）である。ＨＤＲ＝１のコンテンツはＳＤＲにダウンコンバートすることが禁止される。ＳＤＲ変換によって画像が破たんするコンテンツのためのデータである。
ＨＤＲ＝１にする場合は、同じコンテンツのＳＤＲ版も利用可能にすることが必要となる。
なお、ＨＤＲの値は、例えば放送局等、受信コンテンツの配信元に応じた固定値に設定される。
【０１０３】
Ｌ２−Ｏｎｌｙ：コンテンツの保護技術として適用すべき技術情報（Ｌ２  ｐｒｏｔｅｃｔｉｏｎ  Ｏｎｌｙ  Ｔｏｋｅｎ）が記録される。ＤＴＣＰ２には高セキュリティなコンテンツ保護技術であるのＬ２プロテクション（Ｌ２−ｐｒｏｔｅｃｔｉｏｎ）と、ＤＴＣＰ１相当のコンテンツ保護技術であるのＬ１プロテクション（Ｌ１−ｐｒｏｔｅｃｔｉｏｎ）の２つのセキュリティレベルがある。
原則として従来の２Ｋ／ＳＤＲコンテンツはＬ１で扱え、それを超えるコンテンツはＬ２で扱う必要がある。しかし、Ｌ２−Ｏｎｌｙ＝１のコンテンツは常にＬ２で扱う必要がある。コンテンツをどのようなかたちでもＬ１相当以下のレベルで扱うことを許さないサービスだけが値を１にできる。
なお、Ｌ２−Ｏｎｌｙの値は、例えば放送局等、受信コンテンツの配信元に応じた固定値に設定される。
【０１０４】
ＥＩ：画質に応じたコンテンツ保護レベル情報（Ｅｎｈａｎｃｅｄ  Ｉｍａｇｅ  Ｔｏｋｅｎ）である。コンテンツが２Ｋ／ＳＤＲを超えるものの場合に、ＥＩ＝１にし、Ｌ２レベルの保護が必要なことを示す。
ＥＩの値は、データ出力装置のデータ出力態様によって変更される。
【０１０５】
図１２、図１３を参照して説明したように、ＤＴＣＰ２既定のコンテンツ制御情報は、先に図１０を参照して説明したＭＭＴフォーマット対応のコピー制御情報と類似する構成を有するものの、同一構成ではない。
【０１０６】
先に図１１を参照して説明したように、第１情報処理装置（ＤＴＣＰソース）６０は、送信装置５０からの受信コンテンツを、第２情報処理装置（ＤＴＣＰシンク）７０に送信する際、ＭＭＴフォーマット対応のコピー制御情報を、ＤＴＣＰ規定のコピー制御情報に変換して送信する。送信コンテンツが４Ｋコンテンツ、８Ｋコンテンツ、ＨＤＲコンテンツ等の高画質コンテンツである場合は、ＤＴＣＰ２規定のコピー制御情報を設定して送信する。
【０１０７】
以下、図１４、図１５を参照して、第１情報処理装置（ＤＴＣＰソース）６０の実行するＭＭＴフォーマット対応のコピー制御情報を、ＤＴＣＰ２規定のコピー制御情報に変換する処理、すなわち制御情報のマッピング処理について説明する。
【０１０８】
図１４は、先に図１０を参照して説明したＭＭＴフォーマット対応のコピー制御情報を、ＤＴＣＰ２規定のコピー制御情報に変換する場合の変換規則（マッピングルール）を示す図である。
第１情報処理装置（ＤＴＣＰソース）６０は、このマッピングルールに従って、送信装置５０からの受信コンテンツに対応付けて記録されているＭＭＴフォーマット対応のコピー制御情報を、ＤＴＣＰ２規定のコピー制御情報に変換して、コンテンツとともに第２情報処理装置（ＤＴＣＰシンク）７０に送信する。
【０１０９】
図１４に示す変換規則（マッピングルール）について説明する。
図１４には、デジタルコピー制御態様の種類として、以下の５種類を示している。
（１）制約条件なしでコピー可、ただし、出力データの暗号化必要
（２）制約条件なしでコピー可、かつ、出力データの暗号化不要
（３）コピー禁止
（４）１世代のみコピー可、ただし、コピー数制限あり
（５）１世代のみコピー可
【０１１０】
図１４には、上記の５種類のデジタルコピー制御態様の各々について、
（Ａ）ＭＭＴフォーマット対応のコピー制御情報（ＡＲＩＢ：ＴＲ−Ｂ３９）
（Ｂ）ＤＴＣＰ２規定のコピー制御情報（ＣＭＩ記述子（ＣＭＩ  Ｄｅｓｃｒｉｐｔｏｒ）
これら２つの異なるコピー制御情報の設定値を示している。
【０１１１】
なお、ＭＭＴフォーマット対応のコピー制御情報（ＡＲＩＢ：ＴＲ−Ｂ３９）には、
（ａ１）デジタル記録制御情報（ｄｉｇｉｔａｌ  ｒｅｃｏｒｄｉｎｇ  ｃｏｎｔｒｏｌ  ｄａｔａ）
（ａ２）暗号化モード情報（ｅｎｃｒｙｐｔｉｏｎ  ｍｏｄｅ）
（ａ３）コピー制限モード情報（ｃｏｐｙ  ｒｅｓｔｒｉｃｔｉｏｎ  ｍｏｄｅ）
これらの各情報が含まれる。
また、ＤＴＣＰ２規定のコピー制御情報（ＣＭＩ記述子（ＣＭＩ  Ｄｅｓｃｒｉｐｔｏｒ）には、
（ｂ１）コピー制限情報（ＣＣＩ）
（ｂ２）出力データ暗号化要否情報（ＥＰＮ）
（ｂ３）コピー許容数（ＣＣ）
これらの各情報が含まれる。
【０１１２】
第１情報処理装置（ＤＴＣＰソース）６０は、まず、送信装置５０からの受信コンテンツに対応付けて記録されている図１４に示す（Ａ）ＭＭＴフォーマット対応のコピー制御情報（ＡＲＩＢ：ＴＲ−Ｂ３９）の各設定値を取得する。すなわち、
（ａ１）デジタル記録制御情報（ｄｉｇｉｔａｌ  ｒｅｃｏｒｄｉｎｇ  ｃｏｎｔｒｏｌ  ｄａｔａ）
（ａ２）暗号化モード情報（ｅｎｃｒｙｐｔｉｏｎ  ｍｏｄｅ）
（ａ３）コピー制限モード情報（ｃｏｐｙ  ｒｅｓｔｒｉｃｔｉｏｎ  ｍｏｄｅ）
これらの各情報の設定値を取得する。
【０１１３】
次に、この設定値の組み合わせが図１４に示すマッピングルールのエントリ（１）〜（５）のいずれに該当するかを選択し、その選択エントリに対応付けられた矢印に従って右側の（Ｂ）ＤＴＣＰ２規定のコピー制御情報、すなわち、
（ｂ１）コピー制限情報（ＣＣＩ）
（ｂ２）出力データ暗号化要否情報（ＥＰＮ）
（ｂ３）コピー許容数（ＣＣ）
これらの設定値を取得する。
【０１１４】
さらに、第１情報処理装置（ＤＴＣＰソース）６０は、この取得したＤＴＣＰ２規定のコピー制御情報を、図１２を参照して説明したＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１１５】
送信装置５０からの受信コンテンツに対応付けて記録されているＭＭＴフォーマット対応のコピー制御情報（ＡＲＩＢ：ＴＲ−Ｂ３９）の各設定値が、図１４に示すマッピングルールのエントリ（１）〜（５）の各場合において、第１情報処理装置（ＤＴＣＰソース）６０が実行するＤＴＣＰ２規定のコピー制御情報への変換処理（マッピング処理）について、以下、順次、説明する。
【０１１６】
（１）制約条件なしでコピー可、ただし、出力データの暗号化必要
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝００（制約条件なしにコピー可、デジタル記録可）
（ａ２）暗号化モード情報＝０（出力データの暗号化必要）
（ａ３）コピー制限モード情報＝Ｄｏｎ'ｔ  Ｃａｒｅ（規定なし）
【０１１７】
この場合、第１情報処理装置（ＤＴＣＰソース）６０は、ＤＴＣＰ２規定のコピー制御情報を以下の設定値とする。
（ｂ１）コピー制限情報（ＣＣＩ）＝００（コピー制限なし）
（ｂ２）出力データ暗号化要否情報（ＥＰＮ）＝０（出力データの暗号化必要）
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１１８】
（２）制約条件なしでコピー可、かつ、出力データの暗号化不要
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝００（制約条件なしにコピー可、デジタル記録可）
（ａ２）暗号化モード情報＝１（出力データの暗号化不要）
（ａ３）コピー制限モード情報＝Ｄｏｎ'ｔ  Ｃａｒｅ（規定なし）
【０１１９】
この場合、第１情報処理装置（ＤＴＣＰソース）６０は、ＤＴＣＰ２規定のコピー制御情報を以下の設定値とする。
（ｂ１）コピー制限情報（ＣＣＩ）＝００（コピー制限なし）
（ｂ２）出力データ暗号化要否情報（ＥＰＮ）＝１（出力データの暗号化不要）
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１２０】
（３）コピー禁止
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１１（コピー禁止、デジタル記録不可）
（ａ２）暗号化モード情報＝Ｄｏｎ'ｔ  Ｃａｒｅ（規定なし）
（ａ３）コピー制限モード情報＝Ｄｏｎ'ｔ  Ｃａｒｅ（規定なし）
【０１２１】
この場合、第１情報処理装置（ＤＴＣＰソース）６０は、ＤＴＣＰ２規定のコピー制御情報を以下の設定値とする。
（ｂ１）コピー制限情報（ＣＣＩ）＝１１（コピー不可）
（ｂ２）出力データ暗号化要否情報（ＥＰＮ）＝１
（ｂ３）コピー許容数（ＣＣ）＝００００（無効値）
なお、ＥＰＮの設定が有効なのはＣＣＩ＝００の場合のみであり、ＣＣＩが００以外の場合のＥＰＮ＝１はデフォルト値を設定するというだけで、出力データの暗号化不要という意味は持たない。このことは以後のＣＣＩが００以外の場合にも当てはまる。
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１２２】
（４）１世代のみコピー可、ただし、コピー数制限あり
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可）
（ａ２）暗号化モード情報＝Ｄｏｎ'ｔ  Ｃａｒｅ（規定なし）
（ａ３）コピー制限モード情報＝１（コピー数制限あり）
【０１２３】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝ｘｘｘｘ（コピー許容数）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１２４】
なお、本処理例において、（ｂ３）コピー許容数（ＣＣ）＝ｘｘｘｘ（コピー許容数）については、第１情報処理装置（ＤＴＣＰソース）６０が受信した放送コンテンツ等の受信コンテンツの制御情報から取得される値を記録する。あるいは予め規定した値、例えばコピー許容数１０＝（１０１０）等を設定する。
また、第１情報処理装置（ＤＴＣＰソース）６０自身が、ＨＤＤ等の記録メディアに対して受信コンテンツのコピーを作成して記録した場合は、（ｂ３）コピー許容数（ＣＣ）＝ｘｘｘｘ（コピー許容数）を１減らした値を記録してコンテンツとともに第２情報処理装置（ＤＴＣＰシンク）７０に送信する。
【０１２５】
（５）１世代のみコピー可
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可、またはムーブ（移動）のみ可）
（ａ２）暗号化モード情報＝Ｄｏｎ'ｔ  Ｃａｒｅ（規定なし）
（ａ３）コピー制限モード情報＝０（ムーブ（移動）のみ可）
【０１２６】
この場合、第１情報処理装置（ＤＴＣＰソース）６０は、ＤＴＣＰ２規定のコピー制御情報を以下の設定値とする。
（ｂ１）コピー制限情報（ＣＣＩ）＝１０（１世代のみコピー可）
（ｂ２）出力データ暗号化要否情報（ＥＰＮ）＝１
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０１２７】
なお、本処理例において、（ｂ１）コピー制限情報（ＣＣＩ）＝１０（１世代のみコピー可）の値は、第１情報処理装置（ＤＴＣＰソース）６０自身が、ＨＤＤ等の記録メディアに対して受信コンテンツのコピーを作成して記録した場合は、
（ｂ１）コピー制限情報（ＣＣＩ）＝０１（許容数を超えるコピー不可）に設定値を変更してコンテンツとともに第２情報処理装置（ＤＴＣＰシンク）７０に送信する。
またコピー許容数を示す（ＣＣ）は００００を設定し、これ以上のコピーが許容できない設定となる。
【０１２８】
このように、送信装置５０から放送コンテンツ等のＭＭＴフォーマットデータを受信する第１情報処理装置（ＤＴＣＰソース）６０は、図１４に示す変換規則（マッピングルール）に従って、受信コンテンツに対応付けて記録されているＭＭＴフォーマット対応のコピー制御情報を、ＤＴＣＰ２規定のコピー制御情報に変換して、コンテンツとともに第２情報処理装置（ＤＴＣＰシンク）７０に送信する。
【０１２９】
この処理を行うことで、第１情報処理装置（ＤＴＣＰソース）６０からコンテンツを受信した第２情報処理装置（ＤＴＣＰシンク）７０は、ＤＴＣＰ２規定のコピー制御情報に従ったコピー制御を行うことが可能となる。
結果として放送コンテンツに対応付けられていたＭＭＴフォーマット対応のコピー制御情報を継承したコピー制御を行うことが可能となる。
【０１３０】
なお、先に、図１２を参照して説明したように、第１情報処理装置（ＤＴＣＰソース）６０から第２情報処理装置（ＤＴＣＰシンク）７０に送信される制御情報格納パケット（ＣＭＩ）１０１に格納されるＣＭＩ記述子（ＣＭＩ  Ｄｅｓｃｒｉｐｔｏｒ）には、図１４を参照して説明したコピー制御情報（ＣＣＩ，ＥＰＮ，ＣＣ）の他の様々な制御情報記録フィールドを有している。
第１情報処理装置（ＤＴＣＰソース）６０は、これらの各フィールドに対しても、送信装置５０からの受信コンテンツやその制御情報に基づいて、適正値を設定する処理を行って、コンテンツとともに第２情報処理装置（ＤＴＣＰシンク）７０に送信する。
【０１３１】
ＣＭＩ記述子（ＣＭＩ  Ｄｅｓｃｒｉｐｔｏｒ）のコピー制御情報（ＣＣＩ，ＥＰＮ，ＣＣ）以外のデータ記録フィールドに対するコンテンツ制御情報のデータ記録例について、図１５を参照して説明する。
【０１３２】
（１）ＲＥＳ：リザーブ（Ｒｅｓｅｒｖｅｄ）フィールドであり、［１］を記録する。
（２）ＲＭ：リテンションモード（Ｒｅｔｅｎｔｉｏｎ＿ｍｏｄｅ）記録フィールドであり、［０］を記録する。コンテンツを一時的に記憶部（メディア）に記録可能であることを示す。ただし、データ出力以前に記録済みの場合は［１］を記録する。
（３）Ｒｅｔｅｎｔｉｏｎ＿Ｓｔａｔｅ：リテンション（コンテンツ保持）可能な期間として［１１１］＝９０分を記録する。
（４）ＲＥＳ：リザーブ（Ｒｅｓｅｒｖｅｄ）フィールドであり、［１１１］を記録する。
【０１３３】
（５）ＤＯＴ：デジタル出力限定情報（Ｄｉｇｉｔａｌ  Ｏｎｌｙ  Ｔｏｋｅｎ）の記録フィールドであり［１］を記録する。データ出力先でのアナログビデオ出力を禁止しないことを示す。
（６）ＡＳＴ：アナログ出力可否情報（Ａｎａｌｏｇ  Ｓｕｎｓｅｔ  Ｔｏｋｅｎ）の記録フィールドであり、［１］を記録する。データ出力先でのアナログビデオ出力を禁止しないことを示す。
【０１３４】
（７）ＩＣＴ：アナログ出力時の出力許容画質情報（Ｉｍａｇｅ  Ｃｏｎｓｔｒａｉｎｔ  Ｔｏｋｅｎ）の記録フィールドであり、［１］を記録する。アナログのＨＤ画質出力が可能であることを示す。
（８）ＡＰＳ：アナログコンテンツの保護タイプ情報（Ａｎａｌｏｇ  Ｐｒｏｅｃｔｉｏｎ  Ｓｙｓｔｅｍ）の記録フィールドであり、［００］を記録する。設定がオフであることを示す。
（９）ＳＤＯ：デジタルデータの出力許容情報（Ｓｔａｎｄａｒｄ  Ｄｉｇｉｔａｌ  Ｏｕｔｐｕｔ  Ｔｏｋｅｎ）の記録フィールドであり、４Ｋ，８Ｋ画像の出力の場合［０］、２Ｋ，ＳＤＲにダウンコンバートして出力する場合は［１］を記録する。
【０１３５】
（１０）ＨＤＲ：ＨＤＲ画像の処理規定情報（Ｈｉｇｈ  Ｄｙｎａｍｉｃ  Ｒａｎｇｅ  Ｔｏｋｅｎ）の記録フィールドであり、［０］を記録する。出力先でのＳＤＲ画像への変換を許容することを示す。
（１１）Ｌ２−Ｏｎｌｙ：コンテンツの保護技術として適用すべき技術情報（Ｌ２  ｐｒｏｔｅｃｔｉｏｎ  Ｏｎｌｙ  Ｔｏｋｅｎ）の記録フィールドであり、［０］を記録する。出力先でのダウンコンバートを許容することを示す。
（１２）ＥＩ：画質に応じたコンテンツ保護レベル情報（Ｅｎｈａｎｃｅｄ  Ｉｍａｇｅ  Ｔｏｋｅｎ）の記録フィールドであり、２Ｋ，ＳＤＲ画像出力の場合［０］、それ以上の高画質コンテンツ出力の場合は［１］を記録する。
【０１３６】
第１情報処理装置（ＤＴＣＰソース）６０は、例えば図１５に示すように、ＣＭＩ記述子（ＣＭＩ  Ｄｅｓｃｒｉｐｔｏｒ）の各フィールドに値を設定して、制御情報格納パケット（ＣＭＩ）１０１を生成してコンテンツとともに第２情報処理装置（ＤＴＣＰシンク）７０に送信する。
【０１３７】
第１情報処理装置（ＤＴＣＰソース）６０からコンテンツを受信した第２情報処理装置（ＤＴＣＰシンク）７０は、ＤＴＣＰ２規定のＣＭＩ記述子（ＣＭＩ  Ｄｅｓｃｒｉｐｔｏｒ）に記録されたコンテンツ制御情報に従ったコンテンツ制御を行うことが可能となる。
【０１３８】
なお、図１５を参照して説明したコンテンツ制御情報の設定例は一例である。第１情報処理装置（ＤＴＣＰソース）６０は、送信装置３５０から受信するコンテンツの属性や、第２情報処理装置（ＤＴＣＰシンク）７０に対して送信するコンテンツの属性等に応じて最適な制御値を設定したコンテンツ制御情報を生成して第２情報処理装置（ＤＴＣＰシンク）７０に送信することができる。
【０１３９】
［６．ＭＭＴフォーマット対応のコピー制御情報を、ＤＴＣＰ１のコピー制御情報に変換する処理について］
次に、ＭＭＴフォーマット対応のコピー制御情報を、ＤＴＣＰ１のコピー制御情報に変換する処理について説明する。
【０１４０】
前述したように、第１情報処理装置（ＤＴＣＰソース）６０は、送信装置５０からの受信コンテンツを、第２情報処理装置（ＤＴＣＰシンク）７０に送信する際、ＭＭＴフォーマット対応のコピー制御情報を、ＤＴＣＰ規定のコピー制御情報に変換して送信する。
この場合、送信コンテンツが４Ｋコンテンツ、８Ｋコンテンツ、ＨＤＲコンテンツ等の高画質コンテンツである場合は、上述した図１１〜図１５を参照して説明したＤＴＣＰ２規定のコピー制御情報を設定して送信するが、送信コンテンツが、２Ｋコンテンツで、更にＳＤＲコンテンツである場合は、ＤＴＣＰ１規定のコピー制御情報を変換データとして生成してコンテンツに対応付けて送信することが必要となる。
【０１４１】
以下では、第１情報処理装置（ＤＴＣＰソース）６０から第２情報処理装置（ＤＴＣＰシンク）７０に送信する送信コンテンツが、２Ｋコンテンツ、ＳＤＲコンテンツである場合の処理、すなわち、第１情報処理装置（ＤＴＣＰソース）６０が、ＤＴＣＰ１規定のコピー制御情報を生成してコンテンツに対応付けてら第２情報処理装置（ＤＴＣＰシンク）７０に送信する処理について説明する。
【０１４２】
図１６には、先に説明した図１１と同様、送信装置５０、第１情報処理装置（ＤＴＣＰソース）６０、第２情報処理装置（ＤＴＣＰシンク）７０、これらを示している。
第１情報処理装置（ＤＴＣＰソース）６０の一例として放送受信機（ＳＴＢ）６１、第２情報処理装置（ＤＴＣＰシンク）７０の一例として、記録再生装置７２を示している。
【０１４３】
図１６に示す例は、第１情報処理装置（ＤＴＣＰソース）６０が、第２情報処理装置（ＤＴＣＰシンク）７０に対して、２Ｋコンテンツ、ＳＤＲコンテンツ等、４Ｋ、８Ｋ、ＨＤＲ等の高画質タイプのコンテンツではない通常タイプのコンテンツを送信する場合の処理例である。
これは、例えば、第２情報処理装置（ＤＴＣＰシンク）７０が４Ｋ，８Ｋ、ＨＤＲ等の高画質コンテンツの処理ができない場合、あるいは通信データの削減を行いたい場合等において実行される。
第１情報処理装置（ＤＴＣＰソース）６０は、送信装置５０から受信した４Ｋ，８Ｋ、ＨＤＲ等の高画質コンテンツをダウンコンバートして、２Ｋコンテンツ、ＳＤＲコンテンツ等の通常コンテンツに変換して第２情報処理装置（ＤＴＣＰシンク）７０に送信する。
なお、送信装置５０からの受信コンテンツが２Ｋコンテンツ、ＳＤＲコンテンツ等の通常コンテンツである場合には、ダウンコンバートを行うことなく、その受信コンテンツを第２情報処理装置（ＤＴＣＰシンク）７０に送信する。
【０１４４】
前述したように、送信コンテンツが４Ｋコンテンツ、８Ｋコンテンツ、ＨＤＲコンテンツ等の高画質コンテンツである場合は、上述した図１１〜図１５を参照して説明したＤＴＣＰ２規定のコピー制御情報を設定して送信するが、送信コンテンツが、２Ｋコンテンツ、ＳＤＲコンテンツである場合は、ＤＴＣＰ１規定のコピー制御情報を変換データとして生成してコンテンツに対応付けて送信することが必要となる。
【０１４５】
図１６の下部には、第１情報処理装置（ＤＴＣＰソース）６０から、第２情報処理装置（ＤＴＣＰシンク）７０に対する送信データのデータフォーマットの一例を示している。図１６に示すように、送信データは、以下の２つの種類のパケットによって構成される。
（ａ）制御情報格納パケット（ＣＭＩ）１０１、
（ｂ）ＡＶストリーム格納パケット（ＰＣＰ）１０２、
これらのパケット構成は、先に図１１を参照して説明した構成と同様である。ただし、ＤＴＣＰ１の場合、ＣＭＩは必ずしも用いられない。以降では広く実装されているＣＭＩを用いない例をについて説明する。
【０１４６】
、ＣＭＩを用いない場合、ＤＴＣＰ１規定のコピー制御情報を含むコンテンツ制御情報は、ＤＴＣＰ２規定のコンテンツ制御情報とは異なる位置に記録される。
ＤＴＣＰ１規定のコピー制御情報を含むコンテンツ制御情報は、図１６に示すＡＶストリーム格納パケット（ＰＣＰ）１０２を構成するＰＣＰヘッダ１１１、またはＰＣＰペイロード１１２の少なくともいずれかに記録される。
【０１４７】
コンテンツ制御情報の記録領域は、第１情報処理装置（ＤＴＣＰソース）６０の出力コンテンツのフォーマットによって異なる。具体例について、図１７を参照して説明する。
【０１４８】
図１７（Ａ）に示すように、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマットである場合は、ＰＣＰペイロード１１２に格納されるプログラムマップテーブル（ＰＭＴ）にコンテンツ制御情報が記録される。
【０１４９】
一方、図１７（Ｂ）に示すように、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマット以外のフォーマット、例えばＭＰ４やＰＳ等のフォーマットである場合は、ＰＣＰヘッダ１１１にコンテンツ制御情報が記録される。
【０１５０】
ＰＣＰヘッダ１１１に設定されるＥ−ＥＭＩ（Ｅｘｔｅｎｄｅｄ  Ｅｎｃｒｙｐｔｉｏｎ  Ｍｏｄｅ  Ｉｎｄｉｃａｔｏｒ）には、４ビットのコピー制御情報が記録される。さらに、コンテンツ鍵の更新情報等を記録するＮｃデータ記録領域の先頭１６ビットのＰＣＰ−ＵＲデータ記録領域には、その他の様々なコンテンツ制御情報が記録される。
【０１５１】
まず、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマットである場合の具体的なコピー制御情報の記録例について、図１８以下を参照して説明する。
【０１５２】
図１８は、ＰＣＰペイロード１１２に格納されるプログラムマップテーブル（ＰＭＴ）のデータ構成（シンタクス：Ｓｙｎｔａｘ）を示す図である。なお、データ構成（Ｓｙｎｔａｘ）に併せて、ビット数（Ｎｏ．  ｏｆ  ｂｉｔｓ）、データ表記（Ｆｏｒｍａｔ）を示している。データ表記中の「ｕｉｍｓｂｆ」は「符号無し整数、最上位ビットが先頭」（ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ）表記を意味する。
「ｂｓｌｂｆ」は、「ビット列、左ビットが先頭（ｂｉｔ  ｓｔｒｉｎｇ，ｌｅｆｔ  ｂｉｔ  ｆｉｒｓｔ）を意味する。
【０１５３】
図１８に示すプログラムマップテーブル（ＰＭＴ）は、図１７（Ａ）を参照して説明したようにＰＣＰペイロード１１２に格納される。
図１８に示すように、プログラムマップテーブル（ＰＭＴ）の記述子（ｄｅｓｃｒｉｐｔｏｒ）の１つとして、ＤＴＣＰ記述子（ＤＴＣＰ＿ｄｅｓｃｒｉｐｔｏｒ）１２１が記録される。
【０１５４】
図１９（Ａ）は、ＤＴＣＰ記述子（ＤＴＣＰ＿ｄｅｓｃｒｉｐｔｏｒ）１２１のデータ構成（シンタクス：Ｓｙｎｔａｘ）を示す図である。
ＤＴＣＰ記述子（ＤＴＣＰ＿ｄｅｓｃｒｉｐｔｏｒ）１２１には、以下の各データが含まれる。
記述子タグ（ｄｅｓｃｒｉｐｔｏｒ＿ｔａｇ）＝記述子識別子
記述子長（ｄｅｓｃｒｉｐｔｏｒ＿ｌｅｎｇｔｈ）＝記述子バイト数
ＣＡシステムＩＤ（ＣＡ＿Ｓｙｓｔｅｍ＿ＩＤ）＝適用対象を示す識別子
プライベートデータバイト（ｐｒｉｖａｔｅ＿ｄａｔａ＿ｂｙｔｅ）＝プライベートデータ記録領域
【０１５５】
上記の各データ中、プライベートデータバイト（ｐｒｉｖａｔｅ＿ｄａｔａ＿ｂｙｔｅ）＝プライベートデータ記録領域は、様々なデータを記録することが許容された領域である。
第１情報処理装置（ＤＴＣＰソース）６０は、このプライベートデータ記録領域に、放送波等によって受信するＭＭＴフォーマットデータ中の制御情報、例えばサービス記述テーブル（ＭＨ−ＳＤＴ）内に記録されたコピー制御情報、すなわち、図７〜図１０を参照して説明した、
コンテンツコピー制御記述子、
コンテンツ利用制御記述子、
これらの情報を継承したデータを記録する。
【０１５６】
プライベートデータ記録領域のデータ構成例を図１９（Ｂ）に示す。
プライベートデータ記録領域には、図１９（Ｂ）に示すように、以下のデータが記録される。
リテンションムーブモード（Ｒｅｔｅｎｔｉｏｎ＿Ｍｏｖｅ＿Ｍｏｄｅ）
リテンションステート（Ｒｅｔｅｎｔｉｏｎ＿Ｓｔａｔｅ）
ＥＰＮ＝出力データ暗号化要否情報（ｅｎｃｒｙｐｔｉｏｎ  ｐｌｕｓ  ｎｏｎ−ａｓｓｅｒｔｅｄ）
ＤＴＣＰ−ＣＣＩ＝コピー制限情報（ｃｏｐｙ  ｃｏｎｔｒｏｌ  ｉｎｆｏｒｍａｔｉｏｎ）
ＤＯＴ＝デジタル出力限定情報（Ｄｉｇｉｔａｌ  Ｏｎｌｙ  Ｔｏｋｅｎ）
ＡＳＴ＝データ出力先でのアナログ出力可否情報（Ａｎａｌｏｇ  Ｓｕｎｓｅｔ  Ｔｏｋｅｎ）
Ｉｍａｇｅ  Ｃｏｎｓｔｒａｉｎｔ  Ｔｏｋｅｎ＝アナログ出力時の出力許容画質情報（ＩＣＴ）
ＡＰＳ＝アナログコンテンツの保護タイプ情報（Ａｎａｌｏｇ  Ｐｒｏｅｃｔｉｏｎ  Ｓｙｓｔｅｍ）
なお、これらのデータは、例えば番組単位等、所定のコンテンツ区分ごとに記録可能である。
【０１５７】
これらの各情報は、先に図１２を参照して説明したＤＴＣＰ２対応のコンテンツ制御情報と同様の情報である。
【０１５８】
次に、図２０を参照して、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマット以外のフォーマット、例えばＭＰ４やＰＳ等のフォーマットである場合の具体的なコピー制御情報の記録例について、図２０を参照して説明する。
【０１５９】
先に図１７（Ｂ）を参照して説明したように、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマット以外のフォーマット、例えばＭＰ４やＰＳ等のフォーマットである場合は、ＰＣＰヘッダ１１１にコンテンツ制御情報が記録される。
【０１６０】
ＰＣＰヘッダ１１１に設定されるＥ−ＥＭＩ（Ｅｘｔｅｎｄｅｄ  Ｅｎｃｒｙｐｔｉｏｎ  Ｍｏｄｅ  Ｉｎｄｉｃａｔｏｒ）には、４ビットのコピー制御情報が記録される。さらに、コンテンツ鍵の更新情報等を記録するＮｃデータ記録領域の先頭１６ビットのＰＣＰ−ＵＲデータ記録領域には、その他の様々なコンテンツ制御情報が記録される。
【０１６１】
図２０は、以下の各データ例を示している。
（Ａ）ＰＣＰヘッダのＥ−ＥＭＩデータ
（Ｂ）ＰＣＰヘッダのＮｃデータ（先頭１６ビット）
【０１６２】
図２０（Ａ）に示すように、ＰＣＰヘッダのＥ−ＥＭＩデータ記録領域には４ビットのコピー制御情報が記録される。図に示すように、Ｅ−ＥＭＩデータ領域に記録された４ビットデータは、このＰＣＰパケットの格納コンテンツのコピー制御情報であり、以下の設定であることを示す。
１１００（モードＡ０）＝コピー禁止（Ｃｏｐｙ−ｎｅｖｅｒ（ＣＮ））
１０１０（モードＢ１）＝１世代のみコピー可（Ｃｏｐｙ−ｏｎｅ−ｇｅｎｅｒａｔｉｏｎ）［ただしデータ解析記録方式（ｃｏｇｎｉｚａｎｔ  ｒｅｃｏｒｄｉｎｇ）のみ］
１０００（モードＢ０）＝１世代のみコピー可（ＣＯＧ：Ｃｏｐｙ−ｏｎｅ−ｇｅｎｅｒａｔｉｏｎ）［ただしデータ解析記録方式（ｃｏｇｎｉｚａｎｔ  ｒｅｃｏｒｄｉｎｇ）に限定されない］
０１１０（モードＣ１）＝移動（Ｍｏｖｅ）可、コピー数カウント（ｃｏｐｙ−ｃｏｕｎｔ）
０１００（モードＣ０）＝許容数を超えたコピー不可（ＮＭＣ：Ｎｏ−ｍｏｒｅ−ｃｏｐｙ）
００１０（モードＤ０）＝制約条件なしにコピー可、ただし出力データの暗号化必要（Ｃｏｐｙ−ｆｒｅｅ  ｗｉｔｈ  ＥＰＮ  ａｓｓｅｒｔｅｄ（ＣＦ／ＥＰＮ））
００００（Ｎ．Ａ．）＝制約条件なしにコピー可（Ｃｏｐｙ−ｆｒｅｅ（ＣＦ））
【０１６３】
図２０（Ｂ）は、ＰＣＰヘッダのＮｃデータ（先頭１６ビット）のシンタクス（データ構成）を示す図である。このＰＣＰヘッダのＮｃデータ（先頭１６ビット）のＰＣＰ−ＵＲデータ記録領域には、以下のコンテンツ制御情報が記録される。
【０１６４】
ＡＰＳ＝アナログコンテンツの保護タイプ情報（Ａｎａｌｏｇ  Ｐｒｏｅｃｔｉｏｎ  Ｓｙｓｔｅｍ）
ＩＣＴ＝アナログ出力時の出力許容画質情報（Ｉｍａｇｅ  Ｃｏｎｓｔｒａｉｎｔ  Ｔｏｋｅｎ）
ＡＳＴ＝データ出力先でのアナログ出力可否情報（Ａｎａｌｏｇ  Ｓｕｎｓｅｔ  Ｔｏｋｅｎ）
ＤＯＴ＝デジタル出力限定情報（Ｄｉｇｉｔａｌ  Ｏｎｌｙ  Ｔｏｋｅｎ）
これらの各情報は、先に図１２を参照して説明したＤＴＣＰ２対応のコンテンツ制御情報と同様の情報である。
【０１６５】
次に、図２１以下を参照して、第１情報処理装置（ＤＴＣＰソース）６０の実行するＭＭＴフォーマット対応のコピー制御情報を、ＤＴＣＰ１規定のコピー制御情報に変換する処理、すなわち制御情報のマッピング処理について説明する。
【０１６６】
図２１は、先に図１０を参照して説明したＭＭＴフォーマット対応のコピー制御情報を、ＤＴＣＰ１規定のコピー制御情報に変換する場合の変換規則（マッピングルール）を示す図である。
第１情報処理装置（ＤＴＣＰソース）６０は、このマッピングルールに従って、送信装置５０からの受信コンテンツに対応付けて記録されているＭＭＴフォーマット対応のコピー制御情報を、ＤＴＣＰ１規定のコピー制御情報に変換して、コンテンツとともに第２情報処理装置（ＤＴＣＰシンク）７０に送信する。
【０１６７】
図２１に示す変換規則（マッピングルール）について説明する。
図２１には、デジタルコピー制御態様の種類として、以下の５種類を示している。
（１）制約条件なしでコピー可、ただし、出力データの暗号化必要
（２）制約条件なしでコピー可、かつ、出力データの暗号化不要
（３）コピー禁止
（４）１世代のみコピー可、ただし、コピー数制限あり
（５）１世代のみコピー可
【０１６８】
図２１には、上記の５種類のデジタルコピー制御態様の各々について、
（Ａ）ＭＭＴフォーマット対応のコピー制御情報（ＡＲＩＢ：ＴＲ−Ｂ３９）
（Ｂ）ＤＴＣＰ１規定のコピー制御情報
これら２つの異なるコピー制御情報の設定値を示している。
【０１６９】
なお、（Ｂ）ＤＴＣＰ１規定のコピー制御情報の記録領域は、図１７〜図１９を参照して説明したように、転送データのフォーマットに応じて異なる。すなわち、
転送データフォーマットがＭＰＥＧ−ＴＳ（ＭＰＥＧ２−ＴＳも含む）である場合は、ＰＣＰヘッダのプログラムマップテーブル（ＰＭＴ）のＤＴＣＰ記述子にＤＴＣＰ１規定のコピー制御情報を記録する。
また、転送データフォーマットがＭＰＥＧ−ＴＳ以外（ＭＰ４，ＰＳ等）である場合は、ＰＣＰベイロードのＥ−ＥＭＩの４ビットデータを利用して、ＤＴＣＰ１規定のコピー制御情報を記録する。
【０１７０】
図２１（Ａ）に示すように、ＭＭＴフォーマット対応のコピー制御情報（ＡＲＩＢ：ＴＲ−Ｂ３９）には、
（ａ１）デジタル記録制御情報（ｄｉｇｉｔａｌ  ｒｅｃｏｒｄｉｎｇ  ｃｏｎｔｒｏｌ  ｄａｔａ）
（ａ２）暗号化モード情報（ｅｎｃｒｙｐｔｉｏｎ  ｍｏｄｅ）
（ａ３）コピー制限モード情報（ｃｏｐｙ  ｒｅｓｔｒｉｃｔｉｏｎ  ｍｏｄｅ）
これらの各情報が含まれる。
【０１７１】
第１情報処理装置（ＤＴＣＰソース）６０は、まず、送信装置５０からの受信コンテンツに対応付けて記録されている図２１に示す（Ａ）ＭＭＴフォーマット対応のコピー制御情報（ＡＲＩＢ：ＴＲ−Ｂ３９）の各設定値を取得する。すなわち、
（ａ１）デジタル記録制御情報（ｄｉｇｉｔａｌ  ｒｅｃｏｒｄｉｎｇ  ｃｏｎｔｒｏｌ  ｄａｔａ）
（ａ２）暗号化モード情報（ｅｎｃｒｙｐｔｉｏｎ  ｍｏｄｅ）
（ａ３）コピー制限モード情報（ｃｏｐｙ  ｒｅｓｔｒｉｃｔｉｏｎ  ｍｏｄｅ）
これらの各情報の設定値を取得する。
【０１７２】
次に、この設定値の組み合わせが図２１に示すマッピングルールのエントリ（１）〜（５）のいずれに該当するかを選択し、その選択エントリに対応付けられた矢印に従って右側の（Ｂ）ＤＴＣＰ１規定のコピー制御情報の設定値を取得する。
【０１７３】
なお、転送データフォーマットがＭＰＥＧ−ＴＳ（ＭＰＥＧ２−ＴＳも含む）である場合は、
（ｂ１）ＰＣＰペイロードのプログラムマップテーブル（ＰＭＴ）のＤＴＣＰ記述子の設定値（ＣＣＩ，ＥＰＮ）を取得する。
また、転送データフォーマットがＭＰＥＧ−ＴＳ以外（ＭＰ４，ＰＳ等）である場合は、
（ｂ２）ＰＣＰヘッダのＥ−ＥＭＩの４ビットデータの設定値を取得する。
【０１７４】
さらに、第１情報処理装置（ＤＴＣＰソース）６０は、この取得したＤＴＣＰ１規定のコピー制御情報を記録したＰＣＰパケットを生成して、コンテンツとともに第２情報処理装置（ＤＴＣＰシンク）７０に送信する。
【０１７５】
送信装置５０からの受信コンテンツに対応付けて記録されているＭＭＴフォーマット対応のコピー制御情報（ＡＲＩＢ：ＴＲ−Ｂ３９）の各設定値が、図２１に示すマッピングルールのエントリ（１）〜（５）の各場合において、第１情報処理装置（ＤＴＣＰソース）６０が実行するＤＴＣＰ１規定のコピー制御情報への変換処理（マッピング処理）について、以下、順次、説明する。
【０１７６】
（１）制約条件なしでコピー可、ただし、出力データの暗号化必要
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝００（制約条件なしにコピー可、デジタル記録可）
（ａ２）暗号化モード情報＝０（出力データの暗号化必要）
（ａ３）コピー制限モード情報＝Ｄｏｎ'ｔ  Ｃａｒｅ（規定なし）
【０１７７】
この場合、第１情報処理装置（ＤＴＣＰソース）６０は、ＤＴＣＰ１規定のコピー制御情報を以下の設定値とする。
（ｂ１）転送データフォーマット＝ＭＰＥＧ−ＴＳ（ＭＰＥＧ２−ＴＳも含む）の場合、ＰＭＴのＤＴＣＰ記述子の設定値（ＣＣＩ，ＥＰＮ）を以下の設定とする。
（ｂ１１）コピー制限情報（ＣＣＩ）＝００（コピー制限なし）
（ｂ１２）出力データ暗号化要否情報（ＥＰＮ）＝０（出力データの暗号化必要）
（ｂ２）転送データフォーマット＝ＭＰＥＧ−ＴＳ以外（ＭＰ４，ＰＳ等）の場合、ＰＣＰヘッダのＥ−ＥＭＩの４ビットデータの設定値を以下の設定とする。
Ｅ−ＥＭＩ＝００１０（制約条件なしにコピー可、ただし出力データの暗号化必要（ＣＦ／ＥＰＮ））
【０１７８】
第１情報処理装置（ＤＴＣＰソース）６０は、上記の設定値を持つＤＴＣＰ１規定のコピー制御情報を記録したＰＣＰパケットを生成して、コンテンツとともに第２情報処理装置（ＤＴＣＰシンク）７０に送信する。
【０１７９】
（２）制約条件なしでコピー可、かつ、出力データの暗号化不要
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝００（制約条件なしにコピー可、デジタル記録可）
（ａ２）暗号化モード情報＝１（出力データの暗号化不要）
（ａ３）コピー制限モード情報＝Ｄｏｎ'ｔ  Ｃａｒｅ（規定なし）
【０１８０】
この場合、第１情報処理装置（ＤＴＣＰソース）６０は、ＤＴＣＰ１規定のコピー制御情報を以下の設定値とする。
（ｂ１）転送データフォーマット＝ＭＰＥＧ−ＴＳ（ＭＰＥＧ２−ＴＳも含む）の場合、ＰＭＴのＤＴＣＰ記述子の設定値（ＣＣＩ，ＥＰＮ）を以下の設定とする。
（ｂ１１）コピー制限情報（ＣＣＩ）＝００（コピー制限なし）
（ｂ１２）出力データ暗号化要否情報（ＥＰＮ）＝１（出力データの暗号化不要）
（ｂ２）転送データフォーマット＝ＭＰＥＧ−ＴＳ以外（ＭＰ４，ＰＳ等）の場合、ＰＣＰヘッダのＥ−ＥＭＩの４ビットデータの設定値を以下の設定とする。
Ｅ−ＥＭＩ＝００００（＝制約条件なしにコピー可（Ｃｏｐｙ−ｆｒｅｅ（ＣＦ））
【０１８１】
第１情報処理装置（ＤＴＣＰソース）６０は、上記の設定値を持つＤＴＣＰ１規定のコピー制御情報を記録したＰＣＰパケットを生成して、コンテンツとともに第２情報処理装置（ＤＴＣＰシンク）７０に送信する。
【０１８２】
（３）コピー禁止
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１１（コピー禁止、デジタル記録不可）
（ａ２）暗号化モード情報＝Ｄｏｎ'ｔ  Ｃａｒｅ（規定なし）
（ａ３）コピー制限モード情報＝Ｄｏｎ'ｔ  Ｃａｒｅ（規定なし）
【０１８３】
この場合、第１情報処理装置（ＤＴＣＰソース）６０は、ＤＴＣＰ１規定のコピー制御情報を以下の設定値とする。
（ｂ１）転送データフォーマット＝ＭＰＥＧ−ＴＳ（ＭＰＥＧ２−ＴＳも含む）の場合、ＰＭＴのＤＴＣＰ記述子の設定値（ＣＣＩ，ＥＰＮ）を以下の設定とする。
（ｂ１１）コピー制限情報（ＣＣＩ）＝１１（コピー不可）
（ｂ１２）出力データ暗号化要否情報（ＥＰＮ）＝１
（ｂ２）転送データフォーマット＝ＭＰＥＧ−ＴＳ以外（ＭＰ４，ＰＳ等）の場合、ＰＣＰヘッダのＥ−ＥＭＩの４ビットデータの設定値を以下の設定とする。
Ｅ−ＥＭＩ＝１１００（コピー禁止（Ｃｏｐｙ−ｎｅｖｅｒ（ＣＮ））
【０１８４】
第１情報処理装置（ＤＴＣＰソース）６０は、上記の設定値を持つＤＴＣＰ１規定のコピー制御情報を記録したＰＣＰパケットを生成して、コンテンツとともに第２情報処理装置（ＤＴＣＰシンク）７０に送信する。
【０１８５】
（４）１世代のみコピー可、ただし、コピー数制限あり
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可）
（ａ２）暗号化モード情報＝Ｄｏｎ'ｔ  Ｃａｒｅ（規定なし）
（ａ３）コピー制限モード情報＝１（コピー数制限あり）
【０１８６】
この場合、第１情報処理装置（ＤＴＣＰソース）６０は、ＤＴＣＰ１規定のコピー制御情報を以下の設定値とする。
（ｂ１）転送データフォーマット＝ＭＰＥＧ−ＴＳ（ＭＰＥＧ２−ＴＳも含む）の場合、ＰＭＴのＤＴＣＰ記述子の設定値（ＣＣＩ，ＥＰＮ）を以下の設定とする。
（ｂ１１）コピー制限情報（ＣＣＩ）＝０１（許容数を超えるコピー不可）
（ｂ１２）出力データ暗号化要否情報（ＥＰＮ）＝１
（ｂ２）転送データフォーマット＝ＭＰＥＧ−ＴＳ以外（ＭＰ４，ＰＳ等）の場合、ＰＣＰヘッダのＥ−ＥＭＩの４ビットデータの設定値を以下の設定とする。
Ｅ−ＥＭＩ＝０１００（許容数を超えたコピー不可（ＮＭＣ：Ｎｏ−ｍｏｒｅ−ｃｏｐｙ））
【０１８７】
第１情報処理装置（ＤＴＣＰソース）６０は、上記の設定値を持つＤＴＣＰ１規定のコピー制御情報を記録したＰＣＰパケットを生成して、コンテンツとともに第２情報処理装置（ＤＴＣＰシンク）７０に送信する。
【０１８８】
なお、コピー許容数については、第１情報処理装置（ＤＴＣＰソース）６０が受信した放送コンテンツ等の受信コンテンツの制御情報から取得される値を別途、記録する。あるいは予め規定した値、例えばコピー許容数１０＝（１０１０）等を設定する。
また、第１情報処理装置（ＤＴＣＰソース）６０自身が、ＨＤＤ等の記録メディアに対して受信コンテンツのコピーを作成して記録した場合は、コピー許容数を１減らした値を記録してコンテンツとともに第２情報処理装置（ＤＴＣＰシンク）７０に送信する。
【０１８９】
（５）１世代のみコピー可
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可、またはムーブ（移動）のみ可）
（ａ２）暗号化モード情報＝Ｄｏｎ'ｔ  Ｃａｒｅ（規定なし）
（ａ３）コピー制限モード情報＝０（ムーブ（移動）のみ可）
【０１９０】
この場合、第１情報処理装置（ＤＴＣＰソース）６０は、ＤＴＣＰ１規定のコピー制御情報を以下の設定値とする。
（ｂ１）転送データフォーマット＝ＭＰＥＧ−ＴＳ（ＭＰＥＧ２−ＴＳも含む）の場合、ＰＭＴのＤＴＣＰ記述子の設定値（ＣＣＩ，ＥＰＮ）を以下の設定とする。
（ｂ１１）コピー制限情報（ＣＣＩ）＝１０（１世代のみコピー可）
（ｂ１２）出力データ暗号化要否情報（ＥＰＮ）＝１
（ｂ２）転送データフォーマット＝ＭＰＥＧ−ＴＳ以外（ＭＰ４，ＰＳ等）の場合、ＰＣＰヘッダのＥ−ＥＭＩの４ビットデータの設定値を以下の設定とする。
Ｅ−ＥＭＩ＝１０００（１世代のみコピー可（ＣＯＧ：Ｃｏｐｙ−ｏｎｅ−ｇｅｎｅｒａｔｉｏｎ）［ただしデータ解析記録方式（ｃｏｇｎｉｚａｎｔ  ｒｅｃｏｒｄｉｎｇ）に限定されない］）
【０１９１】
第１情報処理装置（ＤＴＣＰソース）６０は、上記の設定値を持つＤＴＣＰ１規定のコピー制御情報を記録したＰＣＰパケットを生成して、コンテンツとともに第２情報処理装置（ＤＴＣＰシンク）７０に送信する。
【０１９２】
なお、本処理例において、（ｂ１１）コピー制限情報（ＣＣＩ）＝１０（１世代のみコピー可）の値は、第１情報処理装置（ＤＴＣＰソース）６０自身が、ＨＤＤ等の記録メディアに対して受信コンテンツのコピーを作成して記録した場合は、
（ｂ１１）コピー制限情報（ＣＣＩ）＝０１（許容数を超えるコピー不可）、または、
（ｂ２１）Ｅ−ＥＭＩ＝０１００（許容数を超えたコピー不可（ＮＭＣ：Ｎｏ−ｍｏｒｅ−ｃｏｐｙ））、
これらのコピー禁止に設定値を変更してコンテンツとともに第２情報処理装置（ＤＴＣＰシンク）７０に送信する。
【０１９３】
このように、送信装置５０から放送コンテンツ等のＭＭＴフォーマットデータを受信する第１情報処理装置（ＤＴＣＰソース）６０は、図２１に示す変換規則（マッピングルール）に従って、受信コンテンツに対応付けて記録されているＭＭＴフォーマット対応のコピー制御情報を、ＤＴＣＰ１規定のコピー制御情報に変換して、コンテンツとともに第２情報処理装置（ＤＴＣＰシンク）７０に送信する。
【０１９４】
この処理を行うことで、第１情報処理装置（ＤＴＣＰソース）６０からコンテンツを受信した第２情報処理装置（ＤＴＣＰシンク）７０は、ＤＴＣＰ１規定のコピー制御情報に従ったコピー制御を行うことが可能となる。
結果として放送コンテンツに対応付けられていたＭＭＴフォーマット対応のコピー制御情報を継承したコピー制御を行うことが可能となる。
【０１９５】
なお、先に、図１６〜図２０を参照して説明したように、第１情報処理装置（ＤＴＣＰソース）６０から第２情報処理装置（ＤＴＣＰシンク）７０に送信される、
ＰＣＰパケットのペイロードに格納されるＰＭＴ、あるいは、
ＰＣＰパケットのＰＣＰヘッダ、
これらには、図２１を参照して説明したコピー制御情報（ＣＣＩ，ＥＰＮ，ＣＣ）の他の様々な制御情報記録フィールドを有している。
第１情報処理装置（ＤＴＣＰソース）６０は、これらの各フィールドに対しても、送信装置５０からの受信コンテンツやその制御情報に基づいて、適正値を設定する処理を行って、コンテンツとともに第２情報処理装置（ＤＴＣＰシンク）７０に送信する。
【０１９６】
先に図１７（Ａ）を参照して説明したように、第１情報処理装置（ＤＴＣＰソース）６０から、第２情報処理装置（ＤＴＣＰシンク）７０に対する送信データのフォーマットがＭＰＥＧ２−ＴＳ等のＭＰＥＧ−ＴＳフォーマットである場合は、ＰＣＰペイロード１１２に格納されるプログラムマップテーブル（ＰＭＴ）にコンテンツ制御情報が記録される。
【０１９７】
プログラムマップテーブル（ＰＭＴ）に記録されるコンテンツ制御情報の記録例について、図２２を参照して説明する。
【０１９８】
（１）Ｒｒｔｅｎｔｉｏｎ  Ｍｏｖｅ  ｍｏｄｅ：リテンションムーブモード記録フィールドであり、［０］を記録する。コンテンツを一時的に記憶部（メディア）に記録可能であることを示す。
（２）Ｒｅｔｅｎｔｉｏｎ  Ｓｔａｔｅ：リテンション（コンテンツ保持）可能な期間として［１１１］＝９０分を記録する。
（３）ＤＯＴ：デジタル出力限定情報（Ｄｉｇｉｔａｌ  Ｏｎｌｙ  Ｔｏｋｅｎ）の記録フィールドであり［１］を記録する。データ出力先でのアナログビデオ出力を禁止しないことを示す。
（４）ＡＳＴ：アナログ出力可否情報（Ａｎａｌｏｇ  Ｓｕｎｓｅｔ  Ｔｏｋｅｎ）の記録フィールドであり、［１］を記録する。データ出力先でのアナログビデオ出力を禁止しないことを示す。
【０１９９】
（５）ＩＣＴ：アナログ出力時の出力許容画質情報（Ｉｍａｇｅ  Ｃｏｎｓｔｒａｉｎｔ  Ｔｏｋｅｎ）の記録フィールドであり、［１］を記録する。アナログのＨＤ画質出力が可能であることを示す。
（６）ＡＰＳ：アナログコンテンツの保護タイプ情報（Ａｎａｌｏｇ  Ｐｒｏｅｃｔｉｏｎ  Ｓｙｓｔｅｍ）の記録フィールドであり、［００］を記録する。設定がオフであることを示す。
【０２００】
次に、第２情報処理装置（ＤＴＣＰシンク）７０に対する送信データのフォーマットがＭＰＥＧ２−ＴＳ等のＭＰＥＧ−ＴＳフォーマット以外（ＭＰ４等）である場合は、ＰＣＰヘッダ１１１にコンテンツ制御情報が記録される。
【０２０１】
ＰＣＰヘッダ１１１に記録されるコンテンツ制御情報の記録例について、図２３を参照して説明する。
【０２０２】
（１）ＡＰＳ：アナログコンテンツの保護タイプ情報（Ａｎａｌｏｇ  Ｐｒｏｅｃｔｉｏｎ  Ｓｙｓｔｅｍ）の記録フィールドであり、［００］を記録する。設定がオフであることを示す。
（２）ＩＣＴ：アナログ出力時の出力許容画質情報（Ｉｍａｇｅ  Ｃｏｎｓｔｒａｉｎｔ  Ｔｏｋｅｎ）の記録フィールドであり、［１］を記録する。アナログのＨＤ画質出力が可能であることを示す。
（３）ＡＳＴ：コピー先でのアナログ出力可否情報（Ａｎａｌｏｇ  Ｓｕｎｓｅｔ  Ｔｏｋｅｎ）の記録フィールドであり、［１］を記録する。コピー先でのアナログビデオ出力を禁止しないことを示す。
（４）ＤＯＴ：デジタル出力限定情報（Ｄｉｇｉｔａｌ  Ｏｎｌｙ  Ｔｏｋｅｎ）の記録フィールドであり［１］を記録する。データ出力先でのアナログビデオ出力を禁止しないことを示す。
【０２０３】
なお、この他のコンテンツ制御情報についても、以下の各設定値を、ＰＣＰヘッダ１１１の空き領域（リザーブ領域等）に記録することが好ましい。
（５）Ｒｅｔｅｎｔｉｏｎ  Ｍｏｖｅ  ｍｏｄｅ：リテンションムーブモード記録フィールドであり、［０］を記録する。コンテンツを一時的に記憶部（メディア）に記録可能であることを示す。ただし、データ出力以前に記録済みの場合は［１］を記録する。
（６）Ｒｅｔｅｎｔｉｏｎ  Ｓｔａｔｅ：リテンション（コンテンツ保持）可能な期間として［１１１］＝９０分を記録する。
【０２０４】
第１情報処理装置（ＤＴＣＰソース）６０は、例えば図２１〜図２３を参照して説明したコピー制御情報を含むコンテンツ制御情報を記録したＰＣＰパケットを生成してコンテンツとともに第２情報処理装置（ＤＴＣＰシンク）７０に送信する。
【０２０５】
第１情報処理装置（ＤＴＣＰソース）６０からコンテンツを受信した第２情報処理装置（ＤＴＣＰシンク）７０は、ＰＣＰパケットから、ＤＴＣＰ１規定のコンテンツ制御情報を取得して、この制御情報に従ったコンテンツ制御を行うことが可能となる。
【０２０６】
なお、図２２、図２３を参照して説明したコンテンツ制御情報の設定例は一例である。第１情報処理装置（ＤＴＣＰソース）６０は、送信装置３５０から受信するコンテンツの属性や、第２情報処理装置（ＤＴＣＰシンク）７０に対して送信するコンテンツの属性等に応じて最適な制御値を設定したコンテンツ制御情報を生成して第２情報処理装置（ＤＴＣＰシンク）７０に送信することができる。
【０２０７】
［７．データ送信の具体例に対応したコピー制御情報の変換処理と送信例について］
次に、第１情報処理装置（ＤＴＣＰソース）６０から、第２情報処理装置（ＤＴＣＰシンク）７０に対する様々なデータ送信の具体例に対応したコピー制御情報の変換処理と送信例について説明する。
【０２０８】
図２４以下を参照して、複数の具体例について、順次、説明する。なお、以下において説明する処理例は、いずれも第１情報処理装置（ＤＴＣＰソース）６０がＤＴＣＰ２対応のコピー制御情報を生成してコンテンツとともに第２情報処理装置（ＤＴＣＰシンク）７０に送信する処理例である。すなわち、第１情報処理装置（ＤＴＣＰソース）６０は、先に図１４を参照して説明した変換規則（マッピングルール）に従ったコピー制御情報の変換処理を実行する。
【０２０９】
（処理例１）
まず、図２４を参照して処理例１について説明する。
図２４に示す（処理例１）は、第１情報処理装置（ＤＴＣＰソース）６０が、送信装置５０から、ＭＭＴフォーマット対応コピー制御情報（ＡＴＩＢ  ＴＲ−Ｂ３９）＝１世代のみコピー可のコンテンツを受信し、ＤＴＣＰ２対応のコピー制御情報に変換して第２情報処理装置（ＤＴＣＰシンク）７０に送信する処理例である。
【０２１０】
第１情報処理装置（ＤＴＣＰソース）６０は、例えば放送受信機（ＳＴＢ）６１であり、第２情報処理装置（ＤＴＣＰシンク）７０は、例えば記録再生装置（レコーダ）７２である。
【０２１１】
図２４（１ｂ）には、先に図１４を参照して説明した変換規則（マッピングルール）のエントリ（４），（５）を抽出して示している。
（４）１世代のみコピー可、ただし、コピー数制限あり
（５）１世代のみコピー可
【０２１２】
第１情報処理装置（ＤＴＣＰソース）６０が、送信装置５０から受信したコンテンツが、変換規則（マッピングルール）のエントリ（４）、すなわち、
（４）１世代のみコピー可、ただし、コピー数制限あり
このコンテンツである場合、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可）
（ａ２）暗号化モード情報＝Ｄｏｎ'ｔ  Ｃａｒｅ（規定なし）
（ａ３）コピー制限モード情報＝１（コピー数制限あり）
【０２１３】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝ｘｘｘｘ（コピー許容数）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０２１４】
また、第１情報処理装置（ＤＴＣＰソース）６０が、送信装置５０から受信したコンテンツが、変換規則（マッピングルール）のエントリ（５）、すなわち、
（５）１世代のみコピー可
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可、またはムーブ（移動）のみ可）
（ａ２）暗号化モード情報＝Ｄｏｎ'ｔ  Ｃａｒｅ（規定なし）
（ａ３）コピー制限モード情報＝０（ムーブ（移動）のみ可）
【０２１５】
この場合、第１情報処理装置（ＤＴＣＰソース）６０は、ＤＴＣＰ２規定のコピー制御情報を以下の設定値とする。
（ｂ１）コピー制限情報（ＣＣＩ）＝１０（１世代のみコピー可）
（ｂ２）出力データ暗号化要否情報（ＥＰＮ）＝１
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０２１６】
なお、上記エントリ（４）、（５）の設定は、放送コンテンツに対応付けられたコピー制御情報に基づいて判定する処理の他、例えば放送コンテンツの送信元（放送局）等に応じて予め規定した設定も可能である。
【０２１７】
（処理例２）
次に、図２５を参照して処理例２について説明する。
図２５に示す（処理例２）は、第１情報処理装置（ＤＴＣＰソース）６０が、送信装置５０から、ＭＭＴフォーマット対応コピー制御情報（ＡＴＩＢ  ＴＲ−Ｂ３９）＝１世代のみコピー可のコンテンツを受信し、第１情報処理装置（ＤＴＣＰソース）６０自身が受信コンテンツをハードディスク等のメディアに記録した後、ＤＴＣＰ２対応のコピー制御情報に変換して第２情報処理装置（ＤＴＣＰシンク）７０に送信する処理例である。
【０２１８】
第１情報処理装置（ＤＴＣＰソース）６０は、例えば放送受信機（ＳＴＢ）６１であり、第２情報処理装置（ＤＴＣＰシンク）７０は、例えば記録再生装置（レコーダ）７２である。
【０２１９】
図２５（１ｂ）には、先に図１４を参照して説明した変換規則（マッピングルール）のエントリ（４），（５）を抽出して示している。
（４）１世代のみコピー可、ただし、コピー数制限あり
（５）１世代のみコピー可
【０２２０】
第１情報処理装置（ＤＴＣＰソース）６０が、送信装置５０から受信したコンテンツが、変換規則（マッピングルール）のエントリ（４）、すなわち、
（４）１世代のみコピー可、ただし、コピー数制限あり
このコンテンツである場合、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可）
（ａ２）暗号化モード情報＝Ｄｏｎ'ｔ  Ｃａｒｅ（規定なし）
（ａ３）コピー制限モード情報＝１（コピー数制限あり）
【０２２１】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝ｘｘｘｘ（コピー許容数）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
なお、（ｂ３）コピー許容数（ＣＣ）＝ｘｘｘｘ（コピー許容数）については、自装置での記録処理の実行に従い、１つ減算した値を記録する。
【０２２２】
また、第１情報処理装置（ＤＴＣＰソース）６０が、送信装置５０から受信したコンテンツが、変換規則（マッピングルール）のエントリ（５）、すなわち、
（５）１世代のみコピー可
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可、またはムーブ（移動）のみ可）
（ａ２）暗号化モード情報＝Ｄｏｎ'ｔ  Ｃａｒｅ（規定なし）
（ａ３）コピー制限モード情報＝０（ムーブ（移動）のみ可）
【０２２３】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
【０２２４】
このように、本処理例では、第１情報処理装置（ＤＴＣＰソース）６０自身が、ＨＤＤ等の記録メディアに対して受信コンテンツのコピーを作成して記録しているので、（ｂ１）コピー制限情報（ＣＣＩ）＝０１（許容数を超えるコピー不可）に設定値を変更する。またコピー許容数を示す（ＣＣ）には００００を設定し、これ以上のコピーが許容できない設定とする。
【０２２５】
（処理例３）
次に、図２６を参照して処理例３について説明する。
図２６に示す（処理例３）は、第１情報処理装置（ＤＴＣＰソース）６０が、送信装置５０から、ＭＭＴフォーマット対応コピー制御情報（ＡＴＩＢ  ＴＲ−Ｂ３９）＝１世代のみコピー可のコンテンツを受信し、第１情報処理装置（ＤＴＣＰソース）６０自身が受信コンテンツをハードディスク等のメディアに記録し、その後、その記録コンテンツを、第２情報処理装置（ＤＴＣＰシンク）７０にムーブ（移動）して、第２情報処理装置（ＤＴＣＰシンク）７０がＢＤ等のメディアに記録する処理例である。
なお、ムーブ（移動）処理により、ムーブ元のコンテンツは消去される。
【０２２６】
第１情報処理装置（ＤＴＣＰソース）６０が、送信装置５０から受信したコンテンツが、変換規則（マッピングルール）のエントリ（４）、すなわち、
（４）１世代のみコピー可、ただし、コピー数制限あり
このコンテンツである場合、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可）
（ａ２）暗号化モード情報＝Ｄｏｎ'ｔ  Ｃａｒｅ（規定なし）
（ａ３）コピー制限モード情報＝１（コピー数制限あり）
【０２２７】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝ｘｘｘｘ（コピー許容数）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
なお、本例において、コンテンツはムーブ（移動）処理が実行されているため、（ｂ３）コピー許容数（ＣＣ）＝ｘｘｘｘ（コピー許容数）については、自装置での記録コンテンツの消去処理の実行に従い、減算処理は行われない。
【０２２８】
また、第１情報処理装置（ＤＴＣＰソース）６０が、送信装置５０から受信したコンテンツが、変換規則（マッピングルール）のエントリ（５）、すなわち、
（５）１世代のみコピー可
この場合の、（Ａ）ＭＭＴフォーマット対応のコピー制御情報（ＡＲＩＢ：ＴＲ−Ｂ３９）の各設定値は以下の通りである。
（ａ１）デジタル記録制御情報＝１０（一世代のみコピー可、一世代のみデジタル記録可、またはムーブ（移動）のみ可）
（ａ２）暗号化モード情報＝Ｄｏｎ'ｔ  Ｃａｒｅ（規定なし）
（ａ３）コピー制限モード情報＝０（ムーブ（移動）のみ可）
【０２２９】
この場合、第１情報処理装置（ＤＴＣＰソース）６０は、ＤＴＣＰ２規定のコピー制御情報を以下の設定値とする。
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝００００（無効値）
第１情報処理装置（ＤＴＣＰソース）６０は、上記の設定値を持つＤＴＣＰ２規定のＣＭＩ記述子（ＣＭＩ  Ｄｅｓｃｒｉｐｔｏｒ）に記録して制御情報格納パケット（ＣＭＩ）１０１を生成してコンテンツとともに第２情報処理装置（ＤＴＣＰシンク）７０に送信する。
なお、上記のとおり、ＣＣＩ＝０１は「許容数を超えるコピー不可」を表すが、ムーブの際にはＤＴＣＰソースとＤＴＣＰシンクの間でＤＴＣＰ２規定が定めるムーブ用のプロトコルが実行され、ＤＴＣＰシンクは受信コンテンツをムーブされたものとして記録する。
【０２３０】
このように、本処理例では、第１情報処理装置（ＤＴＣＰソース）６０が、ＨＤＤ等の記録メディアに記録した受信コンテンツをムーブ（移動）しており、移動元のコンテンツは消去され、１世代のみのコピー許容状態が、コンテンツ出力先である第２情報処理装置（ＤＴＣＰシンク）７０において有効となり、第２情報処理装置（ＤＴＣＰシンク）７０によるメディア記録処理が可能となる。
【０２３１】
（処理例４）
次に、図２７を参照して処理例４について説明する。
図２７に示す（処理例４）は、第１情報処理装置（ＤＴＣＰソース）６０が、送信装置５０から、ＭＭＴフォーマット対応コピー制御情報（ＡＴＩＢ  ＴＲ−Ｂ３９）＝１世代のみコピー可のコンテンツを受信し、第１情報処理装置（ＤＴＣＰソース）６０から、第２情報処理装置（ＤＴＣＰシンク）７０であるモバイル機器（携帯端末）に送信して、ユーザがモバイル機器（携帯端末）でコンテンツを視聴する例である。
【０２３２】
この処理例においては、第１情報処理装置（ＤＴＣＰソース）６０の実行するコピー制御情報の変換処理は、先に図２４を参照して説明した（処理例１）とほぼ同様となる。
すなわち、第２情報処理装置（ＤＴＣＰシンク）７０であるモバイル機器（携帯端末）は、第１情報処理装置（ＤＴＣＰソース）６０が、送信装置５０から受信したコンテンツが、変換規則（マッピングルール）のエントリ（４）、すなわち、
（４）１世代のみコピー可、ただし、コピー数制限ありの場合、
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝００００（コピー許容数）
これらのコピー制御情報とともにコンテンツを受信する。
【０２３３】
先に説明した図２４の（処理例１）との差異は、（ｂ３）コピー許容数（ＣＣ）が００００に設定されることである。
この設定では、第２情報処理装置（ＤＴＣＰシンク）７０であるモバイル機器（携帯端末）は、第１情報処理装置（ＤＴＣＰソース）６０からの受信コンテンツを自装置のメディアに記録（コピー）することは許容されないが、再生は許容される。
【０２３４】
また、第１情報処理装置（ＤＴＣＰソース）６０が、送信装置５０から受信したコンテンツが、変換規則（マッピングルール）のエントリ（５）、すなわち、
（５）１世代のみコピー可の場合、
（ｂ１）コピー制限情報（ＣＣＩ）＝１０（１世代のみコピー可）
（ｂ２）出力データ暗号化要否情報（ＥＰＮ）＝１
（ｂ３）コピー許容数（ＣＣ）＝００００（無効値）
これらのコピー制御情報とともにコンテンツを受信する。
【０２３５】
上記（４），（５）、いずれの場合も、第２情報処理装置（ＤＴＣＰシンク）７０であるモバイル機器（携帯端末）は、第１情報処理装置（ＤＴＣＰソース）６０からの受信コンテンツを再生、視聴することが可能となる。
【０２３６】
（処理例５）
次に、図２８を参照して処理例５について説明する。
図２８に示す（処理例５）は、第１情報処理装置（ＤＴＣＰソース）６０が、送信装置５０から、ＭＭＴフォーマット対応コピー制御情報（ＡＴＩＢ  ＴＲ−Ｂ３９）＝１世代のみコピー可のコンテンツを受信し、第１情報処理装置（ＤＴＣＰソース）６０のメディア（ＨＤＤ等）に記録して、その記録コンテンツを第２情報処理装置（ＤＴＣＰシンク）７０であるモバイル機器（携帯端末）に送信して、ユーザがモバイル機器（携帯端末）でコンテンツを視聴する例である。
【０２３７】
この処理例においては、第１情報処理装置（ＤＴＣＰソース）６０の実行するコピー制御情報の変換処理は、上述の図２７を参照して説明した（処理例４）と同様となる。
すなわち、第２情報処理装置（ＤＴＣＰシンク）７０であるモバイル機器（携帯端末）は、第１情報処理装置（ＤＴＣＰソース）６０が、送信装置５０から受信したコンテンツが、変換規則（マッピングルール）のエントリ（４）、すなわち、
（４）１世代のみコピー可、ただし、コピー数制限ありの場合、
（ｂ１）コピー制限情報（ＣＣＩ）＝０１（許容数を超えるコピー不可）
（ｂ２）出力データ暗号化要否情報（ＥＰＮ）＝１
（ｂ３）コピー許容数（ＣＣ）＝００００（コピー許容数）
これらのコピー制御情報とともにコンテンツを受信する。
【０２３８】
（ｂ３）コピー許容数（ＣＣ）が００００に設定され、第２情報処理装置（ＤＴＣＰシンク）７０であるモバイル機器（携帯端末）は、第１情報処理装置（ＤＴＣＰソース）６０からの受信コンテンツを自装置のメディアに記録（コピー）することは許容されないが、再生は許容される。
【０２３９】
また、第１情報処理装置（ＤＴＣＰソース）６０が、送信装置５０から受信したコンテンツが、変換規則（マッピングルール）のエントリ（５）、すなわち、
（５）１世代のみコピー可の場合、
（ｂ１）コピー制限情報（ＣＣＩ）＝１０（１世代のみコピー可）
（ｂ２）出力データ暗号化要否情報（ＥＰＮ）＝１
（ｂ３）コピー許容数（ＣＣ）＝００００（無効値）
これらのコピー制御情報とともにコンテンツを受信する。
【０２４０】
上記（４），（５）、いずれの場合も、第２情報処理装置（ＤＴＣＰシンク）７０であるモバイル機器（携帯端末）は、第１情報処理装置（ＤＴＣＰソース）６０からの受信コンテンツを再生、視聴することが可能となる。
【０２４１】
（処理例６）
次に、図２９を参照して処理例６について説明する。
図２９に示す（処理例６）は、第１情報処理装置（ＤＴＣＰソース）６０が、送信装置５０から、ＭＭＴフォーマット対応コピー制御情報（ＡＴＩＢ  ＴＲ−Ｂ３９）＝コピー禁止のコンテンツを受信し、第１情報処理装置（ＤＴＣＰソース）６０のメディア（ＨＤＤ等）に一時蓄積として記録して、その記録コンテンツを第２情報処理装置（ＤＴＣＰシンク）７０であるモバイル機器（携帯端末）に送信して、ユーザがモバイル機器（携帯端末）でコンテンツを視聴する例である。
【０２４２】
この処理例において、（Ａ）ＭＭＴフォーマット対応のコピー制御情報（ＡＲＩＢ：ＴＲ−Ｂ３９）の各設定値は以下の通りである。
（ａ１）デジタル記録制御情報＝１１（コピー禁止、デジタル記録不可）
（ａ２）暗号化モード情報＝Ｄｏｎ'ｔ  Ｃａｒｅ（規定なし）
（ａ３）コピー制限モード情報＝Ｄｏｎ'ｔ  Ｃａｒｅ（規定なし）
【０２４３】
この場合、第１情報処理装置（ＤＴＣＰソース）６０は、ＤＴＣＰ２規定のコピー制御情報を以下の設定値とする。
（ｂ１）コピー制限情報（ＣＣＩ）＝１１（コピー不可）
（ｂ２）出力データ暗号化要否情報（ＥＰＮ）＝１
（ｂ３）コピー許容数（ＣＣ）＝００００（無効値）
なお、一時蓄積したものを出力する場合は、Ｒｅｔｅｎｔｉｏｎ＿ｍｏｄｅを１に設定する。
【０２４４】
第２情報処理装置（ＤＴＣＰシンク）７０であるモバイル機器（携帯端末）は、第１情報処理装置（ＤＴＣＰソース）６０からの受信コンテンツを上記コピー制御情報に従って処理することになる。第２情報処理装置（ＤＴＣＰシンク）７０であるモバイル機器（携帯端末）は、受信コンテンツを自装置のメディアに記録（コピー）することは許容されないが、再生は許容される。
【０２４５】
［８．情報記録媒体に対するデータ記録処理を実行する情報処理装置の構成と処理について］
次に、図３０を参照して、第１情報処理装置（ＤＴＣＰソース）の構成と処理について説明する。
【０２４６】
先に説明したように、第１情報処理装置（ＤＴＣＰソース）は、ＭＭＴフォーマットに従ったデータを入力して、ＭＭＴフォーマットに従ったコピー制御情報等のコンテンツ制御情報をＤＴＣＰ規定のコンテンツ制御情報に変換して、コンテンツとともに第２情報処理装置（ＤＴＣＰシンク）に送信する処理を実行する。
【０２４７】
第１情報処理装置（ＤＴＣＰソース）は、ＭＭＴフォーマットに従った入力データに含まれるコピー制御情報、具体的には、ＭＭＴＰパケットに格納されるサービス記述テーブル（ＭＨ−ＳＤＴ）に格納されたコピー制御情報を取得して、第２情報処理装置（ＤＴＣＰシンク）への送信パケットである制御情報格納パケット（ＣＭＩ）、またはＡＶストリーム格納パケット（ＰＣＰ）内にＤＴＣＰ規定のコンテンツ制御情報を記録する。
【０２４８】
図３０は、第１情報処理装置（ＤＴＣＰソース）に相当する情報処理装置４００の構成を示す図である。
データ入力部４０１は、ＭＭＴフォーマットデータ４３１、すなわち画像データ、音声データ、字幕データ等を含むＭＭＴフォーマットデータ４３１を入力する。
データ入力部４０１は、ＭＭＴフォーマットデータ４３１を送信する例えば放送局やコンテンツサーバ等からの送信データを受信する受信部、あるいは、ＭＭＴフォーマットデータ４３１を記録したメディアからのデータ読み取りを実行するメディア読み取り部等によって構成される。
【０２４９】
データ入力部４０１から入力するＭＭＴフォーマットデータ４３１は、先に図２を参照して説明したデータフォーマットに従ったデータであり、例えばＨＥＶＣ画像等の高精細画像データが含まれている。
【０２５０】
ＭＭＴフォーマットデータ４３１は、制御部４０３の制御によって、記憶部４０４に格納される。
ユーザ入力部４０２は、例えば、第２情報処理装置（ＤＴＣＰシンク）に対するデータ送信の開始要求等を入力する。
【０２５１】
ユーザ入力部４０２から、データ送信開始要求を入力すると、この入力をトリガとして、記憶部４０４に格納されたＭＭＴフォーマットデータ４３１が、デマルチプレクサ（ＤｅＭＵＸ）４０５に入力される。
デマルチプレクサ（ＤｅＭＵＸ）４０５は、ＭＭＴフォーマットデータ４３１から、画像、音声、字幕等の各データを格納したパケットや、通知情報や、再生制御情報、コピー制御情報等を含む制御情報（ＴＬＶ−ＳＩ，ＭＭＴ−ＳＩ）等の制御情報を取得し、データ種別のパケットに分類し、各パケットを、データ種類に応じて、データ処理部４０６の字幕データ生成部４１１、画像データ生成部４１２、音声データ生成部４１３、制御情報解析部４１４に入力する。
【０２５２】
字幕データ生成部４１１は、データ入力部４０１が入力し、記憶部４０４に格納されたＭＭＴフォーマットデータ３３１から、字幕データを取得し、ＢＤＡＶフォーマットにおいて規定されるストリームファイル格納用データを生成する。
画像データ生成部４１２は、データ入力部４０１が入力し、記憶部４０４に格納されたＭＭＴフォーマットデータ３３１から、画像データを取得し、ＢＤＡＶフォーマットにおいて規定されるストリームファイル格納用データを生成する。
音声データ生成部４１３は、データ入力部４０１が入力し、記憶部４０４に格納されたＭＭＴフォーマットデータ４３１から、音声データを取得し、ＢＤＡＶフォーマットにおいて規定されるストリームファイル格納用データを生成する。
【０２５３】
制御情報解析部４１４は、データ入力部４０１が入力し、記憶部４０４に格納されたＭＭＴフォーマットデータ４３１から、通知情報や、再生制御情報、コピー制御情報等を含む制御情報（ＴＬＶ−ＳＩ，ＭＭＴ−ＳＩ）等の制御情報を取得する。
【０２５４】
ＤＴＣＰ制御情報生成部４１６は、制御情報解析部４１４から、ＭＭＴフォーマットデータに含まれるサービス記述テーブル（ＭＨ−ＳＤＴ）に記録されたコピー制御情報等のコンテンツ制御情報を入力して、ＤＴＣＰ対応のコンテンツ制御情報の記録パケットを生成する。
【０２５５】
具体的には、送信コンテンツが４Ｋコンテンツ、８Ｋコンテンツ、ＨＤＲコンテンツ等の高画質コンテンツである場合は、ＤＴＣＰ２規定のコピー制御情報を、先に図１２を参照して説明したＣＭＩ記述子（ＣＭＩ  Ｄｅｓｃｒｉｐｔｏｒ）に記録して制御情報格納パケット（ＣＭＩ）１０１を生成する。
一方、送信コンテンツが、２Ｋコンテンツで、ＳＤＲ（Ｓｔａｎｄａｒｄ  Ｄｙｎａｍｉｃ  Ｒａｎｇｅ）コンテンツである場合は、ＤＴＣＰ１規定のコピー制御情報を、先に図１７等を参照して説明したＰＣＰペイロード１１２に格納されるプログラムマップテーブル（ＰＭＴ）、または、ＰＣＰヘッダ１１１に記録する。
【０２５６】
マルチプレクサ（ＭＵＸ）４１５は、字幕データ生成部４１１、画像データ生成部４１２、音声データ生成部４１３が変換した字幕、画像、音声各データ、および制御情報解析部４１４がＭＭＴフォーマットデータ３３１の制御情報（ＴＬＶ−ＳＩ，ＭＭＴ−ＳＩ）等から取得した様々な情報を入力し、これらのデータを格納したパケット列を生成する。
【０２５７】
データ処理部４０６の生成した送信データ４３２は、制御部４０３の制御の下、通信部４０７を介して、第２情報処理装置（ＤＴＣＰシンク）に送信される。
【０２５８】
次に、図３０を参照して説明した情報処理装置４００が実行する処理のシーケンスについて、図３１に示すフローチャートを参照して説明する。
【０２５９】
図３１に示すフローに従った処理は、例えば情報処理装置の記憶部に格納されたプログラムに従って、プログラム実行機能を有するＣＰＵを備えたデータ処理部（制御部）の制御の下で実行することができる。
以下、図３１のフローに示す各ステップの処理について、順次、説明する。
【０２６０】
（ステップＳ１０１）
まず、情報処理装置４００は、ステップＳ１０１において、データ入力部４０１を介してＭＭＴフォーマットデータを入力する。
このデータには画像データ、音声データ、字幕データ、さらに、通知情報や制御情報等を格納した制御情報（ＴＬＶ−ＳＩ，ＭＭＴ−ＳＩ）等が含まれる。
なお、制御情報として、ＭＭＴフォーマットのサービス記述テーブル（ＭＨ−ＳＤＴ）に記録されたコピー制御情報が含まれる。
【０２６１】
（ステップＳ１０２）
次に、ステップＳ１０２において、情報処理装置４００は、入力したＭＭＴフォーマットデータのデマルチプレクス処理、すなわち、データ種類単位のデータ分離処理を行う。画像、音声、字幕、制御情報等の分離処理を実行する。
【０２６２】
（ステップＳ１０３）
次に、ステップＳ１０３において、情報処理装置４００は、ステップＳ１０２で分離した制御情報、例えば制御情報（ＴＬＶ−ＳＩ，ＭＭＴ−ＳＩ）をメモリに格納する。
この制御情報には、ＭＭＴフォーマットのサービス記述テーブル（ＭＨ−ＳＤＴ）に記録されたコピー制御情報が含まれる。
【０２６３】
（ステップＳ１０４）
次に、ステップＳ１０４において、情報処理装置４００は、ステップＳ１０３でメモリに格納したＭＭＴフォーマットのサービス記述テーブル（ＭＨ−ＳＤＴ）に記録されたコピー制御情報等のコンテンツ制御情報を読み取り、ＤＴＣＰ（ＤＴＣＰ２またはＤＴＣＰ１）規定のコピー制御情報を含むコンテンツ制御情報を生成する。
【０２６４】
第２情報処理装置（ＤＴＣＰシンク）に対する送信コンテンツが４Ｋ，８Ｋ等の高画質データである場合は、先に図１４を参照して説明した変換テーブル（マッピングルール）に従って、ＤＴＣＰ２既定のコピー制御情報を決定する処理などを実行する。
一方、第２情報処理装置（ＤＴＣＰシンク）に対する送信コンテンツが２Ｋ等の通常画質データである場合は、先に図２１を参照して説明した変換テーブル（マッピングルール）に従って、ＤＴＣＰ１既定のコピー制御情報を決定する処理などを実行する。
【０２６５】
（ステップＳ１０５）
次に、ステップＳ１０５において、情報処理装置４００は、ステップＳ１０４で生成したコピー制御情報等のコンテンツ制御情報を含むパケット列を生成する。
【０２６６】
送信コンテンツが４Ｋコンテンツ、８Ｋコンテンツ、ＨＤＲコンテンツ等の高画質コンテンツである場合は、ＤＴＣＰ２規定のコピー制御情報を、先に図１２を参照して説明したＣＭＩ記述子（ＣＭＩ  Ｄｅｓｃｒｉｐｔｏｒ）に記録して制御情報格納パケット（ＣＭＩ）１０１を生成する。
一方、送信コンテンツが、２Ｋコンテンツで、ＳＤＲ（Ｓｔａｎｄａｒｄ  Ｄｙｎａｍｉｃ  Ｒａｎｇｅ）コンテンツである場合は、ＤＴＣＰ１規定のコピー制御情報を、先に図１７等を参照して説明したＰＣＰペイロード１１２に格納されるプログラムマップテーブル（ＰＭＴ）、または、ＰＣＰヘッダ１１１に記録する。
【０２６７】
（ステップＳ１０６）
次に、ステップＳ１０６において、情報処理装置４００は、ステップＳ１０５で生成したＤＴＣＰ規定のコピー制御情報等のコンテンツ制御情報、およびコンテンツを含むパケットを第２情報処理装置（ＤＴＣＰシンク）に送信する。
【０２６８】
［９．情報処理装置の構成例について］
次に、図３１を参照して説明した情報処理装置４００のハードウェア構成例について、図３２を参照して説明する。
【０２６９】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０２７０】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０２７１】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０２７２】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０２７３】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２７４】
なお、本明細書において開示した技術は、以下のような構成をとることができる。
（１）  コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部は、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理装置。
【０２７５】
（２）  前記データ処理部は、
ＤＴＣＰ２、またはＤＴＣＰ１規定のコピー制御情報を含む送信データを生成する（１）に記載の情報処理装置。
【０２７６】
（３）  前記データ処理部は、
前記ネットワーク接続機器に送信する送信データが４Ｋ画像、または８Ｋ画像、またはＨＤＲ画像のいずれかである場合、ＤＴＣＰ２規定のコピー制御情報を含む送信データを生成し、
前記ネットワーク接続機器に送信する送信データが２Ｋ画像、またはＳＤＲ画像のいずれかである場合、ＤＴＣＰ１規定のコピー制御情報を含む送信データを生成する（１）または（２）に記載の情報処理装置。
【０２７７】
（４）  前記データ処理部は、
前記ＭＭＴフォーマットデータ対応のコピー制御情報を、ＭＭＴフォーマット規定のサービス記述テーブル（ＭＨ−ＳＤＴ）から取得する（１）〜（３）に記載の情報処理装置。
【０２７８】
（５）  前記データ処理部は、
ＭＭＴフォーマットデータ対応のコピー制御情報を、ＤＴＣＰ規定のコピー制御情報に変換し、前記ネットワーク接続機器に送信する送信パケットを構成する制御情報格納パケットに格納する（１）〜（４）いずれかに記載の情報処理装置。
【０２７９】
（６）  前記データ処理部は、
ＭＭＴフォーマットデータ対応のコピー制御情報を、ＤＴＣＰ規定のコピー制御情報に変換し、前記ネットワーク接続機器に送信する送信パケット内に格納するプログラムマップテーブル（ＰＭＴ）に記録する（１）〜（５）いずれかに記載の情報処理装置。
【０２８０】
（７）  前記データ処理部は、
ＭＭＴフォーマットデータ対応のコピー制御情報を、ＤＴＣＰ規定のコピー制御情報に変換し、前記ネットワーク接続機器に送信する送信パケットのパケットヘッダに記録する（１）〜（６）いずれかに記載の情報処理装置。
【０２８１】
（８）  前記データ処理部は、
（ａ）出力データの暗号化要否情報、
（ｂ）コピー可否情報、またはコピー許容回数情報の少なくともいずれかの情報、
上記各情報を含むＤＴＣＰ規定のコピー制御情報を生成する（１）〜（７）いずれかに記載の情報処理装置。
【０２８２】
（９）  前記データ処理部は、
ＤＴＣＰ規定のコピー制御情報であり、コピー制限情報を規定したＣＣＩ（Ｃｏｐｙ  Ｃｏｎｔｒｏｌ  Ｉｎｆｏｒｍａｔｉｏｎ）、および出力データの暗号化要否情報を規定したＥＰＮ（Ｅｎｃｒｙｐｔｉｏｎ  Ｐｌｕｓ  Ｎｏｎ−ａｓｓｅｒｔｅｄ）の各値の決定処理を行う（１）〜（８）いずれかに記載の情報処理装置。
【０２８３】
（１０）  前記データ処理部は、
ＤＴＣＰ規定のコピー制御情報であり、コピー制限情報を規定したＣＣＩ（Ｃｏｐｙ  Ｃｏｎｔｒｏｌ  Ｉｎｆｏｒｍａｔｉｏｎ）、および出力データの暗号化要否情報を規定したＥＰＮ（Ｅｎｃｒｙｐｔｉｏｎ  Ｐｌｕｓ  Ｎｏｎ−ａｓｓｅｒｔｅｄ）の各値の決定処理を、予め規定した変換規則に従って実行する（１）〜（９）いずれかに記載の情報処理装置。
【０２８４】
（１１）  前記変換規則は、
ＭＭＴフォーマット規定のサービス記述テーブル（ＭＨ−ＳＤＴ）に記録されるコピー制御情報と、ＤＴＣＰ規定のコピー制御情報とを対応付けたマッピングルールである（１０）に記載の情報処理装置。
【０２８５】
（１２）  前記データ処理部は、
ＤＴＣＰ規定のコピー制御情報であり、コピー許容数を規定したＣＣ（Ｃｏｐｙ  Ｃｏｕｎｔ）の値の決定処理を行う（１）〜（１１）いずれかに記載の情報処理装置。
【０２８６】
（１３）  情報処理装置において実行する情報処理方法であり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記データ処理部が、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成する情報処理方法。
【０２８７】
（１４）  情報処理装置において情報処理を実行させるプログラムであり、
前記情報処理装置は、
コピー制御情報の設定されたＭＭＴ（ＭＰＥＧ  Ｍｅｄｉａ  Ｔｒａｎｓｐｏｒｔ）フォーマットデータを入力し、フォーマット変換を実行して、ネットワーク接続機器に送信する送信データを生成するデータ処理部を有し、
前記プログラムは、前記データ処理部に、
入力データに含まれるＭＭＴフォーマットデータ対応のコピー制御情報を取得し、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規定のコピー制御情報を含む送信データを生成させるプログラム。
【０２８８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２８９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２９０】
以上、説明したように、本開示の一実施例の構成によれば、ＭＭＴフォーマットデータに規定されたコピー制御情報をＤＴＣＰ規定のコピー制御情報に変換してネットワーク接続機器に送信することで、データ出力先において、元のコピー制御情報に従ったコピー制御を可能とする構成が実現される。
具体的には、例えば、ＭＭＴフォーマットデータに規定されたコピー制御情報をＤＴＣＰ規定のコピー制御情報に変換してネットワーク接続機器に送信する。送信データが４Ｋ画像、または８Ｋ画像、またはＨＤＲ画像のいずれかである場合、ＤＴＣＰ２規定のコピー制御情報、送信データが２Ｋ画像、またはＳＤＲ画像のいずれかである場合、ＤＴＣＰ１規定のコピー制御情報を生成し、ネットワーク接続機器に送信する制御情報格納パケットやプログラムマップテーブル（ＰＭＴ）に記録して送信する。
本構成により、ＭＭＴフォーマットデータに規定されたコピー制御情報をＤＴＣＰ規定のコピー制御情報に変換してネットワーク接続機器に送信することで、データ出力先において、元のコピー制御情報に従ったコピー制御を可能とする構成が実現される。
【符号の説明】
【０２９１】
１１  放送サーバ（放送局）
２０  受信装置
３０  ネットワーク接続装置
５０  送信装置
６０  第１情報処理装置（ＤＴＣＰソース）
７０  第２情報処理装置（ＤＴＣＰシンク）
１０１  制御情報格納パケット
１０２  ＡＶストリーム格納パケット
１１１  ＰＣＰヘッダ
１１２  ＰＣＰペイロード
４００  情報処理装置
４０１  データ入力部
４０２  ユーザ入力部
４０３  制御部
４０４  記憶部
４０５  デマルチプレクサ
４０６  データ処理部
４０７  通信部
４１１  字幕データ生成部
４１２  画像データ生成部
４１３  音声データ生成部
４１４  制御情報解析部
４１５  マルチプレクサ
４１６  ＤＴＣＰ制御情報生成部
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2019188256.tif 000003
【図２】
2019188256.tif 000004
【図３】
2019188256.tif 000005
【図４】
2019188256.tif 000006
【図５】
2019188256.tif 000007
【図６】
2019188256.tif 000008
【図７】
2019188256.tif 000009
【図８】
2019188256.tif 000010
【図９】
2019188256.tif 000011
【図１０】
2019188256.tif 000012
【図１１】
2019188256.tif 000013
【図１２】
2019188256.tif 000014
【図１３】
2019188256.tif 000015
【図１４】
2019188256.tif 000016
【図１５】
2019188256.tif 000017
【図１６】
2019188256.tif 000018
【図１７】
2019188256.tif 000019
【図１８】
2019188256.tif 000020
【図１９】
2019188256.tif 000021
【図２０】
2019188256.tif 000022
【図２１】
2019188256.tif 000023
【図２２】
2019188256.tif 000024
【図２３】
2019188256.tif 000025
【図２４】
2019188256.tif 000026
【図２５】
2019188256.tif 000027
【図２６】
2019188256.tif 000028
【図２７】
2019188256.tif 000029
【図２８】
2019188256.tif 000030
【図２９】
2019188256.tif 000031
【図３０】
2019188256.tif 000032
【図３１】
2019188256.tif 000033
【図３２】
2019188256.tif 000034
【国際調査報告】
2019188256.tif 000035
2019188256.tif 000036
2019188256.tif 000037
2019188256.tif 000038